(57)【要約】雌動物（１７）を受精させるための、単離されたＸ染色体保有集団の精子およびＹ染色体保有集団の精子の人工受精（２７）サンプル、非入れ替え未経産牛の伝統的な収穫または販売（２０）に対する代替法を提供し得る実施形態を利用する動物管理システム。本発明の広い目的の１つの局面は、存在する群れを拡大するため、または入れ替え未経産牛として売却するために利用可能な雌動物の割合を増大させることであり得る。９０％より高い純度のＸ染色体保有精子の集団を利用する群れ管理プログラムは、雌動物の大過剰を可能にする。
2004503231.tif 000002
【特許請求の範囲】
【請求項１】
動物を管理する方法であって、以下の工程：
ａ．雌の種の哺乳動物を産生する工程；
ｂ．複数の精子を有する人工受精サンプルを用いて、該雌の該種の哺乳動物を受精させる工程であって、ここで、少なくとも９０％の該複数の精子が、同じ性の子孫の哺乳動物に対応する性決定の特徴を有する、工程；
ｃ．該雌の該種の哺乳動物内の少なくとも１つの卵子を受胎させる工程；および
ｄ．該子孫の哺乳動物を産生する工程、
を包含する、方法。
【請求項２】
前記性決定の特徴がＸ染色体を含む、請求項１に記載の動物を管理する方法。
【請求項３】
前記性決定の特徴がＹ染色体を含む、請求項１に記載の動物を管理する方法。
【請求項４】
前記雌の前記種の哺乳動物が、ウシ、ヒツジ、ウマ、イヌ、ネコ、およびブタからなる群より選択される、請求項１に記載の動物を管理する方法。
【請求項５】
前記雌の前記種の哺乳動物が、ウシ種の哺乳動物を含む、請求項１に記載の動物を管理する方法。
【請求項６】
請求項５に記載の動物を管理する方法であって、前記複数の精子が、たった１０００万個の生きた非凍結精子、たった５００万個の生きた非凍結精子、たった３００万個の生きた非凍結精子、たった１００万個の生きた非凍結精子、たった５０万個の生きた非凍結精子、たった２５万個の生きた非凍結精子、およびたった１０万個の生きた非凍結精子からなる群より選択される多数の精子を含む、方法。
【請求項７】
請求項５に記載の動物を管理する方法であって、前記複数の精子が、たった１０００万個の凍結解凍精子、たった６００万個の凍結解凍精子、たった５００万個の凍結解凍精子、たった３００万個の凍結解凍精子、たった１００万個の凍結解凍精子、たった５０万個の凍結解凍精子、たった２５万個の凍結解凍精子、およびたった１０万個の凍結解凍精子からなる群より選択される多数の精子を含む、方法。
【請求項８】
前記雌の前記種の哺乳動物がウマ種の哺乳動物を含む、請求項１に記載の動物を管理する方法。
【請求項９】
請求項６に記載の動物を管理する方法であって、ここで、前記複数の精子が、たった２５００万個の生きた非凍結精子、たった１５００万個の生きた非凍結精子、たった１０００万個の生きた非凍結精子、およびたった５００万個の生きた非凍結精子からなる群より選択される多数の精子を含む、方法。
【請求項１０】
請求項６に記載の動物を管理する方法であって、ここで、前記複数の精子が、たった２５００万個の凍結解凍精子、たった１５００万個の凍結解凍精子、たった１０００万個の凍結解凍精子、およびたった５００万個の凍結解凍精子からなる群より選択される多数の精子を含む、方法。
【請求項１１】
前記複数の精子が、人工授精サンプル中の代表的な数の精子と比較して、約１０％〜約５０％の数の精子を含む、請求項１に記載の動物を管理する方法。
【請求項１２】
請求項１に記載の動物を管理する方法であって、ここで、前記子孫の哺乳動物が雄性を含み、そして雄性の子孫の哺乳動物の割合が、少なくとも７０％の雄性の子孫の動物、少なくとも８０％の雄性の子孫の動物、および少なくとも９０％の雄性の子孫の動物からなる群より選択される、方法。
【請求項１３】
請求項１に記載の動物を管理する方法であって、ここで、前記子孫の哺乳動物が雌を含み、そして雌の子孫の哺乳動物の割合が、少なくとも７０％の雌の子孫の動物、少なくとも８０％の雌の子孫の動物、および少なくとも９０％の雌の子孫の動物からなる群より選択される、方法。
【請求項１４】
前記雌の前記種の哺乳動物において早期春機発動を誘導する工程をさらに包含する、請求項１に記載の動物を管理する方法。
【請求項１５】
請求項１４に記載の動物を管理する方法であって、ここで、前記雌の前記種の哺乳動物が、雌のウシ種の哺乳動物を含み、そして該雌の該ウシ種の哺乳動物において春機発動を誘導する前記工程が、出生後９か月までに春機発動を誘導する工程を包含する、方法。
【請求項１６】
請求項１４に記載の動物を管理する方法であって、ここで、前記雌の前記ウシ種の哺乳動物において早期春機発動を誘導する工程が、出生後約２５０日と出生後２７０日との間で該春機発動を誘導する工程を包含する、方法。
【請求項１７】
請求項１４に記載の動物を管理する方法であって、前記雌の前記ウシ種の哺乳動物において早期の春機発動を誘導する工程が、１日当り約１．３キログラム〜１日当り約１．４キログラムの平均体重増加を生じるように、該雌の該ウシ種の哺乳動物に、十分な量の飼料を与える工程を包含する、方法。
【請求項１８】
前記雌の前記種の哺乳動物の早期離乳の工程をさらに包含する、請求項１４に記載の動物を管理する方法。
【請求項１９】
請求項１８に記載の動物を管理する方法であって、ここで、前記雌の前記種の哺乳動物が、前記雌の前記ウシ種の哺乳動物を含み、そして早期離乳の前記工程が、出生後約９５日と約１２５日との間に、該雌の該ウシ種の哺乳動物を離乳させる工程を包含する、方法。
【請求項２０】
請求項１８に記載の動物を管理する方法であって、前記雌の前記ウシ種の哺乳動物を受精させる工程が、出生後約２８３日と出生後３１６日後との間に、該雌の該ウシ種の哺乳動物の受精させる工程を包含する、方法。
【請求項２１】
同時に発生する発情の工程をさらに包含する、請求項１８に記載の動物を管理する方法。
【請求項２２】
請求項２１に記載の動物を管理する方法であって、ここで、同時に発生する発情の工程が、以下の工程：
ａ．１４日間、１日当り１頭の前記雌のウシ種の哺乳動物当り、０．５ミリグラムでＭＧＡを含む飼料を施す工程；および
ｂ．該ＭＧＡを含む該飼料を施す最後の日から１９日後に、ＰＧＦ２を注射する工程、
を包含する、方法。
【請求項２３】
前記雌の前記種の哺乳動物を収穫する工程をさらに包含する、請求項２２に記載の動物を管理する方法。
【請求項２４】
請求項２３に記載の動物を管理する方法であって、前記雌の前記種の哺乳動物を収穫する工程が、２４か月前に該雌の該ウシ種の哺乳動物を収穫する工程を包含する、方法。
【請求項２５】
請求項２３に記載の動物を管理する方法であって、前記雌の前記種の哺乳動物を収穫する工程が、３０か月前に該雌の該ウシ種の哺乳動物を収穫する工程を包含する、方法。
【請求項２６】
前記雌の前記種の哺乳動物と、前記子孫の哺乳動物とを入れ替える工程をさらに包含する、請求項２３に記載の方法。
【請求項２７】
前記雄性の子孫の哺乳動物を収穫する工程をさらに包含する、請求項３に記載の動物を管理する方法。
【請求項２８】
以下を含む動物管理システム：
ａ．多数の雌の種の哺乳動物であって、ここで、該多数の雌の種の哺乳動物がたった１回の分娩を有し、そして該多数の雌が２４か月齢の前に収穫される、哺乳動物；
ｂ．該多数の雌の種の哺乳動物の多数の子孫であって、ここで、該多数の雌の子孫が、複数の精子で受精され、そして少なくとも７０％の割合の該複数の精子が、雌の子孫の哺乳動物に対応する性決定の特徴を有し、そして該多数の雌の子孫が、収穫された該多数の雌の種の哺乳動物と入れ替える、子孫。
【請求項２９】
請求項２８に記載の動物管理システムであって、ここで、雌の子孫の哺乳動物に対応する性決定の特徴を有する、前記割合の前記複数の精子が、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、および少なくとも９８％からなる群より選択される、動物管理システム。
【請求項３０】
前記雌の前記種の哺乳動物が、ウシ、ヒツジ、ウマ、イヌ、ネコ、およびブタからなる群より選択される、請求項２８に記載の動物管理システム。
【請求項３１】
前記雌の前記種の哺乳動物が、ウシ種の哺乳動物を含む、請求項２８に記載の動物管理システム。
【請求項３２】
請求項３１に記載の動物管理システムであって、前記複数の精子が、たった１０００万個の生きた非凍結精子、たった５００万個の生きた非凍結精子、たった３００万個の生きた非凍結精子、たった１００万個の生きた非凍結精子、たった５０万個の生きた非凍結精子、たった２５万個の生きた非凍結精子、およびたった１０万個の生きた非凍結精子からなる群より選択される多数の精子を含む、動物管理システム。
【請求項３３】
請求項３１に記載の動物管理システムであって、前記複数の精子が、たった１０００万個の凍結解凍精子、たった６００万個の凍結解凍精子、たった５００万個の凍結解凍精子、たった３００万個の凍結解凍精子、たった１００万個の凍結解凍精子、たった５０万個の凍結解凍精子、たった２５万個の凍結解凍精子、およびたった１０万個の凍結解凍精子からなる群より選択される多数の精子を含む、動物管理システム。
【請求項３４】
前記雌の前記種の哺乳動物がウマ種の哺乳動物を含む、請求項２８に記載の動物管理システム。
【請求項３５】
請求項３４に記載の動物管理システムであって、ここで、前記複数の精子が、たった２５００万個の非凍結精子、たった１５００万個の非凍結精子、たった１０００万個の非凍結精子、およびたった５００万個の非凍結精子からなる群より選択される多数の精子を含む、動物管理システム。
【請求項３６】
請求項３５に記載の動物管理システムであって、ここで、前記複数の精子が、たった２５００万個の凍結解凍精子、たった１５００万個の凍結解凍精子、たった１０００万個の凍結解凍精子、およびたった５００万個の凍結解凍精子からなる群より選択される多数の精子を含む、動物管理システム。
【請求項３７】
前記複数の精子が、人工授精サンプル中の代表的な数の精子と比較して、約１０％〜約５０％の数の精子を含む、請求項２８に記載の動物管理システム。
【請求項３８】
前記多数の雌の前記種の哺乳動物の前記雌子孫において早期春機発動を誘導する工程をさらに包含する、請求項２８に記載の動物管理システム。
【請求項３９】
請求項３８に記載の動物管理システムであって、ここで、前記多数の雌の前記種の哺乳動物が、雌のウシ種の哺乳動物を含み、そして前記誘導された早期春機発動が、出生後たった９か月の該誘導された早期春機発動を含む、動物管理システム。
【請求項４０】
請求項３９に記載の動物管理システムであって、ここで、前記雌の前記ウシ種の哺乳動物において前記誘導された早期春機発動が、出生後約２５０日と出生後２７０日との間での該誘導された春機発動を含む、動物管理システム。
【請求項４１】
請求項４０に記載の動物管理システムであって、前記雌の前記ウシ種の哺乳動物の前記誘導された早期春機発動が、雌の該ウシ種の哺乳動物１頭当り１日当り約１．３キログラム〜１日当り約１．４キログラムの平均体重増加を生じるために十分な量の飼料を含む、動物管理システム。
【請求項４２】
早期離乳雌の前記種の哺乳動物をさらに包含する、請求項３８に記載の動物管理システム。
【請求項４３】
請求項４２に記載の動物管理システムであって、ここで、前記早期離乳雌の前記種の哺乳動物が、早期離乳雌の前記ウシ種の哺乳動物を含み、そして該早期離乳雌の該ウシ種の哺乳動物が、出生後約９５日と約１２５日との間に離乳する、動物管理システム。
【請求項４４】
請求項４３に記載の動物管理システムであって、前記雌の前記ウシ種の哺乳動物が、出生後約２８３日と出生後３１６日後との間に受精される、動物管理システム。
【請求項４５】
同時に発生する発情をさらに包含する、請求項４２に記載の動物管理システム。
【請求項４６】
請求項４５に記載の動物管理システムであって、ここで、同時に発生する発情が、以下：
ａ．１４日間、１日当り１頭の雌のウシ種の哺乳動物当り、０．５ミリグラムでＭＧＡを含む追肥飼料；および
ｂ．該ＭＧＡを含む追肥飼料の最後の日から１９日後のＰＧＦ２注射、
を包含する、動物管理システム。
【請求項４７】
動物を管理する方法であって、以下の工程：
ａ．雌の種の哺乳動物を産生する工程；
ｂ．該雌の該種の哺乳動物において早期春機発動を誘導する工程；
ｃ．複数の精子で該雌の該種の哺乳動物を受精させる工程；
ｄ．該雌の該種の哺乳動物内の少なくとも１つの卵子を受胎させる工程；および
ｅ．雌の子孫の哺乳動物を産生する工程、
を包含する、方法。
【請求項４８】
動物を管理する方法であって、以下の工程：
ａ．雌の種の哺乳動物を産生する工程；
ｂ．該雌の該種の哺乳動物を早期に離乳させる工程；
ｃ．複数の精子で該雌の該種の哺乳動物を受精させる工程；
ｄ．該雌の該種の哺乳動物内の少なくとも１つの卵子を受胎させる工程；および
ｅ．雌の子孫の哺乳動物を産生する工程、
を包含する、方法。
【請求項４９】
動物を管理する方法であって、以下の工程：
ａ．雌の種の哺乳動物を産生する工程；
ｂ．複数の精子で該雌の該種の哺乳動物を受精させる工程；
ｃ．該雌の該種の哺乳動物内の少なくとも１つの卵子を受胎させる工程；
ｄ．子孫の哺乳動物を産生する工程；および
ｅ．屠体成熟を進行させる前に、該雌の該種の哺乳動物を収穫する工程、
を包含する、方法。
【請求項５０】
動物を管理する方法であって、以下の工程：
ａ．雌の種の哺乳動物を産生する工程；
ｂ．該雌の該種の哺乳動物において早期春機発動を誘導する工程；
ｃ．複数の精子で該雌の該種の哺乳動物を受精させる工程；
ｄ．該雌の該種の哺乳動物内の少なくとも１つの卵子を受胎させる工程；および
ｅ．雌の子孫の哺乳動物を産生する工程、
を包含する、方法。
【請求項５１】
動物を管理する方法であって、以下の工程：
ａ．雌の種の哺乳動物を産生する工程；
ｂ．該雌の該種の哺乳動物を早期に離乳させる工程；
ｃ．複数の精子で該雌の該種の哺乳動物を受精させる工程；
ｄ．該雌の該種の哺乳動物内の少なくとも１つの卵子を受胎させる工程；および
ｅ．雌の子孫の哺乳動物を産生する工程、
を包含する、方法。
【請求項５２】
動物を管理する方法であって、以下の工程：
ａ．雌の種の哺乳動物を産生する工程；
ｂ．複数の精子で該雌の該種の哺乳動物を受精させる工程；
ｃ．該雌の該種の哺乳動物内の少なくとも１つの卵子を受胎させる工程；
ｄ．雌の子孫の哺乳動物を産生する工程；および
ｅ．屠体成熟を進行させる前に、該雌の該種の哺乳動物を収穫する工程、
を包含する、方法。
【請求項５３】
動物を管理する方法であって、以下の工程：
ａ．雌の哺乳動物を受精させる工程；
ｂ．複数の精子で該雌の該種の哺乳動物を受精させる工程であって、ここで、少なくとも９０％の該複数の精子がＹ染色体を保有する、工程；
ｃ．該雌の該種の哺乳動物内の少なくとも１つの卵子を受胎させる工程；および
ｄ．該子孫の哺乳動物を産生する工程、
を包含する、方法。
【発明の詳細な説明】
【０００１】
（Ｉ．技術分野）
一般に、Ｘ染色体保有精子およびＹ染色体保有精子の単離された集団を利用する群れ管理技術は、種々の種の動物と共に使用され得る。具体的には、統合されたウシの群れの管理システムは、単一仔ウシ未経産牛システム（ｓｉｎｇｌｅ−ｃａｌｆ　ｈｅｉｆｅｒ　ｓｙｓｔｅｍ）においてＸ染色体保有精子の単離された集団を使用して、非入れ替え未経産牛の価値を高める。
【０００２】
（ＩＩ．背景）
肉牛生産効率を改善するための経済的圧力は、産業および研究者らが種々の生産システムを評価することを促進してきた。かなりの注意を払われてきた１つの従来の群れ管理システムは、単一仔ウシ未経産牛システム（ＳＣＨ）である。このシステムは、屠殺のために通常標的化される非入れ替え雌を利用する能力を有する。平均的な生産コストおよび１９５８年〜１９８６年の産生の収益を使用する、他の肉牛管理スキームと比較されたシミュレートされたＳＣＨシステムは、収益が高いと示され得る。しかし、ＳＣＨシステムを経済的に持続されたままにするためには、最終生産物が、消費者に受け入れられなければならない。ＳＣＨシステムの最も重要な構成要素は、未経産牛仔ウシであり、そして屠体の進んだ成熟を回避するために、ウシの年齢が３０ヶ月になる前に、収穫する用意をすることである。
【０００３】
成熟の進んだ屠体は、おいしさに問題があり、従って、金銭的な値引きによってペナルティーを受け得る。ＵＳＤＡは、３０ヶ月またはそれ以上の年齢である、「Ｂ」またはそれ以上の生理学的な成熟度スコアに対応する、およその年代的な年齢を設定した。しかし、成熟度スコアは、ＵＳＤＡが示したよりもっと速い速度で増大する年代的な年齢を増大させ得、従って２４ヶ月またはそれ以上の動物が、より正確に、ＵＳＤＡ成熟度スコア「Ｂ」またはそれ以上に対応することを示唆する。従って、金銭的な値引きの危険性を最小化し、そしてよりおいしい生産物を消費者に提供するために、ＳＣＨについての収獲標的年齢は、２４ヶ月未満の年齢であり得る。
【０００４】
ＳＣＨシステムは、ＳＣＨ由来の屠体および仔ウシを生産するために設計され得る。ＳＣＨの屠体は、高品質でなければならないが、子孫の品質を犠牲にしてはならない。ＳＣＨ、仔ウシを育て、そして２４ヶ月の年齢までに収獲する用意することである生産システムは、おそらく、９ヶ月の慣用的でない年齢で未経産牛を飼育することによって達成され得る。さらに、従って、より若い雌ウシの群れ、体重生成のために使用される総飼料のより大きい割合、ならびに維持、授乳、妊娠および体状態スコアのために使用されるより少量の総飼料が、生物学的な効率を増大させるという仮説が立てられている。
【０００５】
ＳＣＨが雌ウシのみを生産し得る場合、１頭の雌ウシあたり一回だけの出産が必要であり得、そして雌親は、成熟の値引きなしに、消費者の受容性をなお保持するのに十分な若齢で屠殺され得、従って、自己永続的な群れシステムを作製する。雌の子孫を得るために雌雄識別した精子に若い雌ウシを交尾させることはまた、分娩の困難性を減少させ、そして仔ウシの生存率を増大させ得る。
【０００６】
初期の飼育を達成するために、初期春機発動の誘導が必要である。この段階への成熟は、生殖路および生殖機能の発達をもたらすために、内分泌機能、環境、社会的環境、品種、栄養および体重の間の複雑な相互作用を含む。食餌は、春機発動を誘導するために効果的な手段である。高エネルギーの食餌は、低エネルギーの食餌よりも、より若い年齢で未経産牛の春機発動の開始を誘導することが報告されている。未経産牛の体重は、春機発動の年齢よりも、春機発動により大きな影響を有する傾向がある。さらに、反芻胃におけるプロピオン酸産生が高い食餌をとった未経産牛は、より軽い体重で春機発動に達した。同様に、イオノフォアを含む食餌が、春機発動の始まる年齢を減少させ、ＡＤＧにも体重にも関連がないことが見出されている。栄養の水準は、春機発動の年齢に反比例するが、獲得のパターンは、未経産牛が、交配期の前に成熟体重の約６０〜６５％のに達している限りは、春機発動の年齢に影響しない。従って、初期春機発動の誘導は、エネルギーが高く、かつイオノフォアを伴った畜舎の食餌を給餌することによって若齢で標的体重に達することに依存する。早期離乳の非入れ替え未経産牛、およびそれらを離乳後直ぐに畜舎条件で維持することは、可能な限り生涯の初期で標的体重に到達させる手段である。
【０００７】
早期離乳は、仔ウシに対する有害な影響なしに雌親ＢＣＳを増大させるための手段であることが証明されている。高品質の食餌に置かれた早期離乳の未経産牛が、雌親ととどまった同年齢のウシよりも、より早い獲得速度を生じたことが見出されている。さらに、早期離乳した仔ウシは、食餌変換がより効率的であり得る；さらに、これらは、誕生から屠殺までの、より多い総獲得を有した。
【０００８】
以前に記載されたように、群れ管理技術に関して、種々の革新が存在してきたが、ＳＣＨ群れ管理システムを含む従来の群れ管理システムは、解決されないままの重要な問題を有する。
【０００９】
平均、数千を超える動物で、群れの誕生の約半数は雌であり、半分は雄性である。例えば、従来の肉牛の群れでは、誕生した仔ウシの４９％は未経産牛である。しかし、偶然のみに起因して、１００の継続的な分娩から、４０％のみの未経産牛を有することは、めずらしくない。
【００１０】
このように、従来の群れ管理システムの重要な問題は、平衡状態で、約４０％の雌肉牛が、群れの大きさを維持するために群れの入れ替えのために交配されなければならない点であり得る。なぜなら、半数を超える誕生した仔ウシが雄ウシであり、誕生した未経産牛のいくらかが、死亡するか、発育不全になるか、または妊娠しないからである。従来のＳＣＨ群れ管理システムに関して、入れ替え雌ウシは、これらの仔ウシの離乳後直ぐに雌ウシが収獲される場合、群れを永続させるために購入されなければならない。
【００１１】
従来の群れ管理システムの別の重要な問題は、同一管理下の雄性よりも、雌が平均して低い体重であり、そして売却時に低価格に値する点であり得る。例えば、同一管理下で、離乳時に、去勢ウシは、平均５１９ポンドであり得、そして１ポンドあたり平均０．９２ドルを獲得し得るが、未経産牛は、平均４９１ポンドであり得、そして１ポンドあたり平均０．８５ドルを獲得し得る。この場合、去勢ウシは、その性別に起因して、売却時に単独で６０．００ドルの利益を提供する。
【００１２】
従来の群れ管理システムおよび具体的には上記のようなＳＣＨ群れ管理の問題に関して、本発明は、実用的な様式で各々を解決する。
【００１３】
（ＩＩＩ．発明の開示）
精子の、Ｘ染色体保有集団またはＹ染色体保有集団を単離することが、現在可能である。フローサイトメトリーのような特定の技術は、９０％よりも高い精度で精子の分類を可能にする。分離された精子は、多くの哺乳動物（例えば、ウシ、ウマ（ｅｑｕｉｄ）、ヒツジ（ｏｖｉｄ）、ヤギ、ブタ、イヌ、ネコ、ラクダ、ウシ（ｏｘｅｎ）、バッファローなど）の卵細胞の、インビトロまたはインビボの人工授精または受精を達成するために利用され得る。例えば、ＷＯ９６／１２１７１；ＷＯ００／０６１９３；ＷＯ９９／３３９５６；およびＰＣＴ／ＵＳ０１／１５１５０（各々が、本明細書によって参考として援用される）を参照のこと。
【００１４】
従って、本発明の実施形態の広い目的は、Ｘ染色体保有精子またはＹ染色体保有精子の単離された集団を利用する、群れ管理システムを提供することであり得る。
【００１５】
本発明の広い目的の１つの局面は、存在する群れを拡大するため、または入れ替え未経産牛として売却するために利用可能な雌動物の割合を増大させることであり得る。９０％より高い純度のＸ染色体保有精子の集団を利用する群れ管理プログラムは、雌動物の大過剰を可能にする。
【００１６】
本発明の広い目的の別の局面は、入れ替え未経産牛を生産するために、少数だが優れた雌親の授精を可能にすることによって選択強度を増大させることであり得る。例えば、平衡状態の肉牛の群れにおいて、約４０％の雌肉牛は、群れの大きさを維持するために群れの入れ替えのために交配されなければならない。Ｘ染色体保有精子の単離された集団を用いて、２０％のみの雌が、通常４０％の代わりに入れ替えのための交配に必要であり、従って、選択強度を増大させる。
【００１７】
本発明の広い目的の別の局面は、難産の発生率を減少させるために、雌ウシを生むように雌ウシを交配することであり得る。農場の主な問題は、例えば、未経産牛が分娩する場合の異常分娩である。異常分娩の大部分は、未経産牛よりも平均約５ポンド重い雄性仔ウシに起因する。これは、難産の低発生率を生成する種ウシ由来の単離されたＸ染色体保有精子を使用することによって最小化され得る。
【００１８】
本発明の広い目的の別の局面は、従来の雌ウシの群れを全て一緒に用いて施行することであり得る。Ｘ染色体保有精子の単離された集団を利用することによって、収穫のために太らされる直前に、未経産仔ウシで、どの雌ウシ自体をも入れ替えすることが可能であり得る。
【００１９】
本発明の広い目的の別の局面は、雄性のみを生産する最終交配プログラムを提供することであり得る。本発明の特定の実施形態において、雌ウシは、９０％以上の純度のＹ染色体保有精子の単離された集団を用いた人工授精によって、実質的に最終交配の雄ウシの仔ウシを有し得る。本発明の別の実施形態において、全ての雄性最終交配システムが、全ての入れ替え未経産牛を購入することによって使用され得る。
【００２０】
本発明のこの広い目的のなお別の局面は、早期離乳、誘導された春機発動または雌雄の識別された精液を単一の仔ウシの未経産牛システムに組み込んで、代わりの若い雌ウシの価値を増大することであり得る。組み込まれたシステムは、消費者に利用可能な高品質の製品を産生し、そして収益を増大する可能性を有する代替の管理システムを経営者に提供する。
【００２１】
本発明の本来のさらなる目的は、本明細書および特許請求の範囲の他の領域全体にわたって開示されている。
【００２２】
（Ｖ．本発明を実施するための形態）
本発明は、単離されたＸ染色体保有集団の精子または精子細胞およびＹ染色体保有集団の精子または精子細胞を使用する群れ管理技術に関与する。Ｘ染色体保有集団の精子およびＹ染色体保有集団の精子は、インタクトな生きた精子の集団を含み得るか、またはＸ染色体保有精子およびＹ染色体保有精子の凍結した集団も含み得る。本発明の特定の例は、肉牛を含む群れの状況において提供されるが、記載される技術が、以下に挙げられるがこれらに限定されない種々の種の哺乳動物に関する種々の適用を有し得ることが理解されるべきである：ヒト、ウシ科の動物、ウマ科の動物、ヒツジ科の動物、イヌ科の動物、ネコ科の動物、ヤギ、またはブタおよびあまり一般的でない動物（例えば、ゾウ、シマウマ、ラクダ、もしくはクドゥ（ｋｕｄｕ））。この動物の列挙は、精子が得られ得、そしてＸ染色体保有集団およびＹ染色体保有集団に慣用的に単離され、そしてこの群れ管理発明が適用され得る多くの種々の動物の例示を意図する。例えば、提供される例は、哺乳動物の任意の特定の種の管理に本発明の記載を限定することを意図しない。
【００２３】
ここで図１および２を参照すると、群れ管理システム発明の実施形態は、フローサイトメーターによって単離されたＸ染色体保有精子およびＹ染色体保有精子を使用する。Ｘ染色体保有精子またはＹ染色体保有精子の集団を単離するために使用されるフローサイトメーターは、分析のために少なくとも１種の蛍光色素で染色された精子を確立または供給するように働く、精子細胞源（１）を備え得る。この染色された精子は、この染色された精子が流体流またはシース流体（３）内に導入されるような様式で、ノズル（２）内に堆積される。このシース流体（３）は、通常、あるシース流体源（４）から供給され、その結果、この精子細胞源（１）が染色された精子をシース流体（４）に供給する場合、これらはノズル（２）を通して同時に供給される。
【００２４】
この様式において、シース流体（３）が精子細胞のためのシース流体環境をどのように形成するかが容易に理解され得る。様々な流体はある圧力でフローサイトメーターに提供されるので、これらの流体はノズル（２）から流れ、そしてノズルオリフィス（５）において流れ出る。発振器制御機器（７）により非常に正確に制御され得るタイプの発振器（６）を設けることによって、圧縮波はノズル（２）内で確立され得、そして、ノズルオリフィス（５）でノズル（２）を出る流体に伝達される。発振器（６）はシース流体（３）に作用するので、ノズルオリフィス（５）を出る流れ（８）は、最終的に正確に液滴（９）を形成する。精子細胞は、流体流またはシース流体環境に取り囲まれるので、この液滴（９）は、この環境内で別個に単離された精子細胞を巻き込み得る。
【００２５】
液滴（９）は、精子細胞を巻き込み得るので、フローサイトメーターは、精子細胞の特性に基づいて、精子細胞を分離するために使用され得る。これは、精子細胞検出システム（１０）によって達成される。精子細胞検出システムは、流体流（８）内に含まれる精子細胞に応答する少なくともいくつかのタイプの検出器またはセンサ（１１）を備える。この粒子または精子細胞検出システム（１０）は、特性（例えば、精子細胞が応答性であり得る照射ビームを生成するレーザー励振器（１２）のような照射源により励起され得る、精子細胞、またはこの精子細胞内のＤＮＡに結合した蛍光色素）の相対的な存在または相対的な非存在に依存して作用を引き起こし得る。
【００２６】
精子に関して、Ｈｏｅｃｈｓｔ３３３４２染色の結合部位のアベイラビリティは、各精子内に含まれるＤＮＡの量に依存する。Ｘ染色体保有精子は、Ｙ染色体保有精子より多くのＤＮＡを含むので、Ｘ染色体保有精子は、Ｙ染色体保有精子より多くの量の蛍光色素を結合し得る。従って、励起の際に結合した蛍光色素によって放射される蛍光を測定することによって、Ｘ染色体保有精子とＹ染色体保有精子とを区別することが可能である。
【００２７】
照射された光の量に基づいて精子の分離および単離を達成するために、放射光がセンサ（１１）で受信され得、そして液滴（９）内の精子細胞内のＤＮＡの量に基づいて各液滴（９）を差示的に荷電する液滴荷電器（ｃｈａｒｇｅｒ）に連結したあるタイプの分離区別システムまたは分析器（１３）に供給され得る。このように、この分離区別システムまたは分析器（１３）は、液滴（９）がＸ保有精子またはＹ保有精子を含むか否かに基づいて、静電偏向プレート（１４）が液滴（９）を偏向させ得るように作用する。
【００２８】
結果として、フローサイトメーターは識別した精子（１６）を１つ以上の収集容器（１５）に方向付けることによって、この識別した精子（１６）を分離するように作用する。例えば、分析器が精子細胞の特性に基づいて精子細胞を区別する場合、Ｘ染色体保有精子を巻き込んでいる液滴は、正に荷電され得、従って、一方向に偏向され、一方、Ｙ染色体保有精子を巻き込んでいる液滴は、負に荷電され、従って他の方向に偏向され、そして廃液の流れ（ｗａｓｔｅｄ　ｓｔｒｅａｍ）（これは粒子も細胞を巻き込まないか、または所望でもなく選別もされない細胞を巻き込む液滴である）は、米国特許出願０９／００１，３９４（本明細書中で参考として援用される）において考察されるように、無電荷のままであり得、従って、偏向されていない流れで、吸引チューブ内などに収集される。通常は、多数の偏向軌道が確立され得、同時に収集され得る。
【００２９】
ここで図３および４を参照すると、従来の群れ管理は、変動する年齢の母畜（１７）の群れおよび千を越える仔ウシが、約５０％の雌および約５０％の雄を典型的に含む仔ウシ（１８）の群れを含む。図から理解され得るように、典型的な母畜（１９）の群れの一部は若い雌ウシの一部（２１）および実質的に全て去勢ウシ（２２）と共に市場（２０）に売られる。若い雌ウシ（２３）の一部は、市場（２０）で売られる母畜の代わりに提供され得るが、いくつかの代わりの動物はまた、群れの外側に運ばれて、群れに対して正規化され得るか、または群れの遺伝学を改善し得る。便利さおよび経済的な効率のために、すべての母畜は、種々の発情同調化プロトコル（２４）を介してほぼ同じ時間で発情され得る。図８は、発情同調化プロトコルの１つの型を示し、そしてこのプロトコルは、以下の実施例１により完全に記載される。
【００３０】
さらに、図４に示されるように、仔ウシは、約２００日〜約２３０日での伝統的な離乳と比較して約９５日〜約１２５日で早期に離乳され得る。早期の離乳は母畜のＢＣＳを増大するのに良いツールであり得、仔ウシにおけるより早い体重増加を提供し、そしてさらに効率のよい飼料転換を提供し得る。
【００３１】
ここで図５を参照すると、上記のような種々の種の動物を使用し得る、概略化された群れ管理発明が開示される。群れ管理発明は、単離されたＹ染色体保有精子の集団（Ｘ染色体保有精子集団のいくつかの部分は、すべての集団におけるＹ染色体保有精子のＸ染色対保有精子に対する比を高めるために除去される）を使用して、雌の子孫哺乳動物（１８）に対する雄の子孫哺乳動物の所望の比を生じる末端交雑（ｔｅｒｍｉｎａｌ　ｃｒｏｓｓ）を提供する。図５から理解されるように、本発明の特定の実施形態において、実質的に、全ての子孫哺乳動物は、雌の子孫であり得る。多数の種の哺乳動物からのＹ染色体保有精子の単離された集団は、上記のように産生され得る。Ｙ染色対保有精子の単離された集団は、この性別区別特性に基づいて区別され得、そして少なくとも７０％、少なくとも８０％、少なくとも９０％またはなおそれより高い割合、なお少なくとも９８％の複数の精子は、同じ性別の子孫哺乳動物に対応する性別区別特性を有し得る。Ｙ染色体保有精子のこれらの単離された集団は、種々の発情同調化プロトコル（２４）および人工授精プロトコル（２７）の状況において使用され得る。これらのプロトコルとしては、以下が挙げられるがこれらに限定されない：母畜（１７）に授精して、そして一種の哺乳動物の雌において少なくとも１つの卵を受精するための米国特許出願第０９／００１，３９４号および同第０９／０１５，４５４号（それぞれは、参考として本明細書中に援用される）に記載される発情同調化プロトコルおよび人工授精プロトコル。産生された子孫哺乳動物（１８）の性別は、哺乳動物の種の雌を授精するために使用した人工授精サンプルにおけるＹ染色体保有精子のＸ染色体保有精子に対する比に基づいて予め決定され得る。本発明の特定の実施形態は、少なくとも７０％、少なくとも８０％、少なくとも９０％またはなおそれより多くの雄の子孫哺乳動物の割合に対して雄の子孫哺乳動物の集団を調節する。Ｘ染色体保有精子またはＹ染色体保有精子の単離された集団が、人工授精プロトコル（２７）において使用される場合、凍結されていない生きた精子の数は、人工授精サンプルが、所望の数を含むように選択され得る。ウシ哺乳動物の授精する状況において、人工授精サンプルにおける単離されたＹ染色体保有精子の数は、例えば、１０００万個以下であり得る。人工授精サンプルにおける精子の典型的な数に対して約１０％〜約５０％の精子の少数が、使用され得る。ウシ哺乳動物の特定の種（例えば、肉牛）において、精子の数は、５００万個以下、３００万個以下であり得るか、または５００，０００以下、２５０，０００以下およびいくつかの実施形態において、１００，０００以下と１５０，０００以下との間の精子程少なくさえあり得る。本発明の特定の実施形態において、精子は、凍結され得、次いで、使用の前に溶解され得る。凍結−溶解した精子のサンプルにおける運動性精子の数は、減少し得る。
【００３２】
同様に、本発明がウマ哺乳動物の状況において使用される場合、人工授精サンプルは、たった２５００万、たった１５００万、たった１０００万、またはたった５００万の数の生存する非凍結精子を含み得る。同様の数の精子は、凍結され得、そしてその後、使用前に融解され得る。ウマ哺乳動物の授精のための種々のプロトコールは、さらにＰＣＴ／ＵＳ９９／１７１６５（これは、本明細書中で参考として援用される）によって開示される。
【００３３】
上記のように、肉牛の状況において、離乳した雄性動物（２２）を市場（２０）で売る際、同一の群れの管理下の雌動物よりもより高い収入を生じ得る。産生される子孫哺乳動物の性別が、実質的に雄性動物の場合、入れ替わる動物（２５）は、外部供給源（２６）から得られ得る。本発明のいくつかの実施形態において、一旦群れが標準化されると、２０％の雌親（１７）が毎年入れ替わる。
【００３４】
ここで、図６を参照すると、本発明はさらに、早期離乳の雄性子孫（１８）（または、Ｙ染色体に対するＸ染色体の既知の比を保有する精子を有する精子の集団を用いる人工授精によって生じる子孫の、所望の性別比）を含む。子孫哺乳動物の離乳に対する理解可能な実際の日数は、種ごとに変化し得る。肉牛に関して早期離乳は、できるだけ早くて９５日であり得るが、平均は約１１０日であり、または本発明の特定の実施形態において、約９５日と約１２５日との間であり得る。早期離乳のウシ哺乳動物の管理のさらなる実施形態は、以下の実施例１に提供される。
【００３５】
ここで図７を参照すると、哺乳動物の種々の種を用いて使用され得る一般化された群れの管理の発明が、開示される。群れの管理の発明は、Ｘ染色体を保有する精子（Ｙ染色体保有精子集団のある程度の部分が除去され、総精子集団におけるＸ染色体を保有する精子に対する、Ｘ染色体を保有する精子の比を高める）の、単離された集団を利用する。Ｘ染色体保有精子（１００の精子のうち９８個がＸ染色体を保有する）の単離された集団を、群れにおいて人工授精する雌に利用することによって、雌の子孫が産生され得、群れ（２０）から収穫された、実質的に全て（または所望の数）の雌（１７）に入れ替わる。このように、本発明の特定の実施形態において、それぞれの雌（１７）は、収穫（２０）される前に、単一の分娩を有する。群れの管理の発明はさらに、早期春機発動期の誘導の実施を包含する。早期春機発動期は、哺乳動物において、迅速な体重の増加を生じることによって誘導され得る。実施例１によってさらに詳細に開示されるように、春機発動期は、肉牛において、生後約２５０日と生後約２７０日との間程早く誘導され得る。群れあたり、１日あたり約１．３ｋｇ〜１日あたり約１．４ｋｇの体重増加は、早期春機発動を誘導するのに十分であり得る。早期春機発動を誘導することによって、人工授精の発情の同期化（２４）および人工授精（２７）が、群れの管理サイクルにおける早期に実行され得る。誕生と動物の収穫との間の時間をさらに短くするために、入れ替えのために少なくとも１回の分娩をさせる間、雌哺乳動物は、上記のように早く離乳させ得る。本発明の肉牛の実施形態において、雌が産まれ得、約９５日と約１２５日との間に離乳させ得、約２５０日から約２８０日との間に発情を同期化し得、人工授精し得、９ヶ月後に分娩させ得、そして２４ヶ月前に収穫し得る。
【００３６】
一方、図７は、群れ管理の発明の肉牛の実施形態についての特定の時間軸（ｔｉｍｅ　ｌｉｎｅ）を提供するが、これは同様の様式ディスプレイ管理し得る動物の広範な種々の種の例示であり、そして提供される特定の実施例および時間軸は、その時間軸の特定の実施例に対して本発明の限定を意図するものではないことが理解される。
【００３７】
ここで、図８を参照すると、ウシの食餌を、１４日間、１日につき雌動物あたり０．５ｍｇで、ＭＧＡで表面を調理した、肉牛についての例示的な発情同期化のプロトコールを提供する。３３日目に、それぞれの雌動物は、ＰＧＦ２αを注射される。３日間続け、それぞれの雌は人工授精される。
【００３８】
（実施例１）
統合群れ管理システム（ＩＳ）を設計し、早期離乳の統合、および単一の仔ウシ未経産牛（ｓｉｎｇｌｅ　ｃａｌｆ　ｈｅｉｆｅｒ）（ＳＣＨ）における性別分けした精液の使用を評価して、入れ替わらない未経産牛の値を上昇させた。このプロジェクトは、５つの相からなる。Ｉ、ＩＩおよびＩＩＩ相は、未経産牛の発育段階であった。ＩＶ相は、屠体の評価が生じた場合、統合システムの定性測定であった。Ｖ相は、統合システムの経済的な状態を決定した。この統合されたＩＳは、入れ替わらない未経産牛の、伝統的なマーケティング（ＴＭＳ）についての代替であり得る。入れ替わらない未経産牛の伝統的なマーケティングを、すぐ以下：＞伝統的＝約７ヶ月（２００日）の年齢での離乳に基づく生存体重に対する、ＴＭＳ未経産牛の需要として規定する。従って、ＩＳを、ＴＭＳと経済的に比較する。ＩＳは、生殖的な因子（例えば、春機発動および未経産牛の育種）を取り込み；従って、対応する、入れ替わる未経産牛は、生殖を意味し、そして伝統的な入れ替えシステム（ＴＲＳ）における維持を、これらの因子のみについてのＩＳ未経産牛と比較する。
【００３９】
Ａｋｒｏｎ，ＣＯのＣｏｌｏｒａｄｏ　Ｓｔａｔｅ　ＵｎｉｖｅｒｓｉｔｙのＥａｓｔｅｒｎ　Ｃｏｌｏｒａｄｏ　Ｒｅｓｅａｅｃｈ　Ｃｅｎｔｅｒは、研究のための場所であった。このプロジェクトを、１９９９年７月（ＹＩ）に開始し、繰り返しを２０００年８月（ＹＩＩ）に開始した。データは、ＹＩの全ての相について示すが、ＹＩＩにおけるＰＩの後、その時点で完了していない範囲を越えた研究として終了した。Ｒｅｄ　Ａｎｇｕｓ　Ｘ　Ｈｅｒｅｆｏｒｄ　ＥＣＲＣ群れ由来の未経産牛を、２つの処理群れに分けた。ＩＳにおける未経産牛は、入れ替わらない状態であり、特に分娩季節の後半に産まれたウシであったが、早期離乳の日において、５５日齢よりも若くはない。これらの未経産牛は、早期離乳であり、高エネルギーの食餌を与えられ、９ケ月齢で成熟体重の６５％に達するオーダーで（群れの雌親からのデータによって、５００ｋｇと決定される）、約１．６ｋｇ／日で急速な成長を促進した。ＩＳ未経産牛を、約１０ヶ月齢で交配し、そして２４ヶ月齢で収穫した（表１）。入れ替わる状態の他の全ての未経産牛を、ＥＣＲＣ入れ替え未経産牛システムにおいて管理し、約７ヶ月齢で離乳し、この範囲にわたって発育させ、そして１４ヶ月齢で交配させた。
【００４０】
【表１】
2004503231.tif 000003
（Ｉ相：離乳した未経産牛から未経産牛の育種）
（離乳）
最初の年（ＹＩ）の実験群れは、非伝統的な１１０±１５．０日の早期齢で離乳した４６頭のＩＳ未経産牛、および２２９±２．８日齢での伝統的な離乳齢で離乳した４０頭のＴＲＳから構成された。２年目（ＹＩＩ）の実験群れは、１１５±２６．９日の平均齢で離乳した４８頭のＩＳ未経産牛、および１７４±２１．２日齢で伝統的に離乳し、体重増加した４８頭のＴＲＳから構成された。未経産牛の体重を、それぞれの離乳の日に記録した。雌親の体重状態スコア（９点スケール）を、ＹＩおよびＹＩＩにおける早期離乳の時点で記録し、次いで、伝統的な離乳の時点で再び記録した。
【００４１】
（栄養管理）
未経産牛の雌親を、ＹＩにおいて、２つの別々の牧草地において、自然の放牧地で管理した。ＴＲＳ未経産牛の雌親を、冬の補充をさせたが、一方でＩＳの雌親は補充させなかった。この雌親を、この様式で管理し、冬の試料の出費における早期離乳プログラムの評価を可能にした。離乳のストラテジーは、雌親のＢＣＳにＴＷ時に影響をし、ここで、ＥＷ仔牛の雌親は、ＹＩのみにおけるＴＷ仔牛の雌親よりも、より大きなＢＣＳを有した。身体の貯蔵が、この雌親を、健康の危険または産生の損失なく身体状態を減少させるのに十分適当であるので、ＩＳ未経産牛の雌親を、補充なしで管理した。ＴＲＳ未経産牛の雌親を、体重増加または維持を可能にするように管理した。これらの雌親を、冬の季節の終わりに、同様の体重および条件に合わせた。しかし、ＹＩＩにおいて、これらの雌親を、ＹＩにおけるように別々に管理しなかった。なぜなら、雌親のＢＣＳは、ＴＷの時期と等しかったからである。乾燥状態は、試料の質および雌親の能力を限定した；それゆえ、ＴＲＳの離乳は、ＹＩにおいて、ＴＲＳのＴＷよりも５５日早く生じた。乾燥状態と、ＹＩＩにおけるＴＲＳ未経産牛の雌親が授乳する期間が短くなったこととの組み合わせの効果によって、ＩＳ未経産牛の雌親とＹＲＳ未経産牛との間のＢＣＳの相違の欠損を、説明し得る。等しい体重は、冬の補充に従う離乳ストラテジーの間に何も構成せず、従って雌親を別々に管理する必要性を排除した。雌親についての牧草地の賃貸および試料の費用を分析した。
【００４２】
伝統的な入れ替えシステムの未経産牛を、ライコムギの牧草地で、ＹＩにおいて自然の放牧地で管理した。ＹＩＩにおいて、ＴＲＳ未経産牛を、自然の放牧地における、乾燥条件から生じる不十分な草に起因する乾燥ロット条件で管理した。乾燥ロットの支給を、ＮＲＣ（６８）に従ってバランスを取り、そして殻をむいたトウモロコシ全体、雑穀乾草、およびアルファルファ乾草を含めた。ライコムギ（６３）および自然の放牧地（１９）についての栄養価を、表２、３および４に列挙する。それぞれの食餌における試料は確立され得ないので、栄養価は、食餌中の１００％の包含に基づくが、ライコムギは栄養の主要な供給源であるようであった。ＩＳ未経産牛の食餌のサンプルの供給を、Ｉ相およびＩＩＩ相を通じて定期的に収集し、そしてＯｌｓｅｎのＬａｂｏｒａｔｏｒｙ　ＭｃＣｏｏｋ，ＮＥによって分析した（図１、２、３、および４）。
【００４３】
【表２】
2004503231.tif 000004
【００４４】
【表３】
2004503231.tif 000005
2004503231.tif 000006
ＩＳ未経産牛を、離乳の直後に、ＹＩおよびＹＩＩにおいて、それぞれ２１３日および２００日の間継続して飼養場で管理した。給餌器を、ＹＩにおいて１４０日間、そしてＹＩＩにおいて５日間使用し、次いで、Ｉ期の残りの間（ＹＩでは７３日間、およびＹＩＩでは１９５日間）、ばら取り飼料を与えた（ｂｕｎｋ−ｆｅｄ）。ＹＩＩに使用された給餌器の持続期間は、疾病および薬用飼料を投与する必要性に起因して制限された。この飼養場配給量ＹＩは、ライ麦粒、ヒマワリミールペレット、コーングラウンドアルファルファ（ｃｏｒｎ　ｇｒｏｕｎｄ　ａｌｆａｌｆａ）、タンパク質栄養補助飼料およびＲｕｍｅｎｓｉｎ７を含んだ。ＹＩＩにおける飼養場の配給の成分は、ヒマワリミールペレットを除いてＹＩに類似していた。ＥＷ未経産牛の体重を、２８日毎に測定し、そしてこの供給量を評価し、この未経産牛の体重増加に従って調整した。この給餌計画の最も重要な目的は、ＩＳ未経産牛が成熟体重（もとの成熟体重５００ｋｇの群れに基づく）の６５％に９月齢までに達し、早い春機発動期を誘導することである。従って各２８日間の間隔において、未経産牛の周期が始まるまで１．３６ｋｇ／日の体重増加という目標がある。この時点で、過度に肥育することおよび潜在的なそれに続く繁殖／分娩の困難性を阻止するために、配給エネルギー密度を減少した。毎日の個々の摂取量を、囲い内での摂取量を囲いの中にいる総動物数で除算して算出した（図５および図６）。仔牛を１．３ｋｇ／日で成長／仕上げをするためのＮＲＣ（６８）要件に従って、供給量のバランスを取った。
【００４５】
【表４】
2004503231.tif 000007
乏しい体重増加であるか、および／または慢性的な病的状態を示す未経産牛を、系から取り除いた。取り除いた未経産牛は、地域の家畜の競売で市価にて売却した。未経産牛の死亡率を、経済分析で説明した。死亡した動物の体重を、群れの平均に従って、見積った。死んだ動物のドル価値を、類似の体重および年齢である動物の市場購入価格によって算出した。
【００４６】
（春機発動期の開始のモニタリング）
春機発動期および発情期の開始を、挙動的指標および生理学的指標によってモニタリングした。３頭（ＹＩ）および１頭（ＹＩＩ）の男性化した雌ウシの補助を使用したＤＤｘ　Ｅｌｅｃｔｒｏｎｉｃ　Ｈｅａｔ　Ｗａｔｃｈ７システムによって、挙動パターンならびにマウンティングの持続時間および頻度を介してスタンディングヒートの開始をモニターした（９６）。男性化を、Ｎｉｘらに記載される方法によって達成した（６７）。雌ウシの男性化は、雄ウシについて仮説づけられたように、男性化した雌ウシが、フェロモンの合図を通して、春機発動期を増強することおいて同様の効果を有するという仮説によって実施した。ＩＳ未経産牛のＪｕｎｇｌａｒ血液サンプルを、ＭＧＡ／ＰＧＦ同期化の前の２ヶ月間（ＹＩ）および３ヶ月（ＹＩＩ）の間、１０日間の間隔で採取し、そしてＰＧＦ注射の１０日前およびＰＧＦ注射の日において再び採取した（図７）。血清サンプルを、プロゲステロン濃度についてラジオイムノアッセイによって分析した（２１）。春機発動期におけるＴＲＳ未経産牛の割合をまた、ＩＳ未経産牛のＭＧＡ／ＰＧＦ同期化前にプロゲステロンアッセイによって測定した。１０日間の期間において、血清プロゲステロン濃度が１ｎｇ／ｍｌより大きいとき、未経産牛を春機発動期にあるとみなした（７）。
【００４７】
【表５】
2004503231.tif 000008
ＩＳ未経産牛は、Ｄｅｕｔｓｃｈｅｒ（２０）に記載のように、１４日間の１ｈｄ／ｄ当たり０．５ｍｇの０．５ｍｇのＭＧＡを伴った敷肥供給、続く、ＭＧＡ供給最終日から１９日後のＰＧＦ注射によって達成される発情期同期化を受ける。未経産牛を、２５０±１５．０日（ＹＩ）および２５０±１４．９日（ＹＩＩ）で同期化した。未経産牛は、スタンディング発情期（ｓｔａｎｄｉｎｇ　ｅｓｒｕｓ）の後から、ａ．ｍ．／ｐ．ｍ．プロトコルに従った７２時間後ＰＧＦ注射までに、２人の技術者のうちの１人によって人工授精（ＡＩ）された。７２時間後ＰＧＦ注射において、全ての残りの春機発動期にあるウシを、定期間、交配した。４５日間（ＹＩ）の繁殖期によって、未経産牛が３回または４回の人工授精（ＡＩ）の機会を得ることを可能にし、そして２４日間（ＹＩＩ）によって、２回の交配を可能にした。全ての再繁殖は、Ｅｌｅｃｔｒｏｎｉｃ　Ｈｅａｔ　Ｗａｔｃｈ７および／または視覚よる観察によって記録されたスタンディングヒートに基づき、そしてａ．ｍ．／ｐ．ｍ．プロトコルに従って繁殖させた。
【００４８】
人工授精に使用した精液を２頭のＢｌａｃｋ　Ａｎｇｕｓ　Ｂｕｌｌ（ＹＩ）および１頭のＢｌａｃｋ　Ａｎｇｕｓ　ｂｕｌｌ（ＹＩＩ）（軽い出生時体重であり、ＹＩおよびＹＩＩで、それぞれ、ＥＰＤは、０．５、１．５であり、そしてＢは１．４３である）から回収した。精液をサイトフローメトリーを使用して、分類し、Ｘ染色体の精子のために選択した（８２）。受精のための精液の用量は、少なくとも３５％の解凍後運動性を有する，１用量当たり、３００万の精子（ＹＩ）および６００万の精子（ＹＩＩ）を含む。
【００４９】
ＹＩの間、未経産牛を雌雄識別した精液と固定時間交配させ、飼育仕切りに入っている未経産牛の無作為な順序により決定されたように、２頭の種雄のうちの１頭を用いて無作為にＡＩした；種ウシは、未経産牛ごとに交代させた。二次交配を必要とする未経産牛を、固定時間の交配において使用された同一の種雄由来の雌雄識別した精液を用いて受精させた。三次交配を必要とした未経産牛を、２頭の種雄のうちの１頭により、雌雄識別した精液または雌雄識別していない精液のいずれかを用いて無作為に受精させた。雌雄識別していない精液を用いて６ＩＳ未経産牛を交配させ、そしてプロトコルを終了した。７頭のＩＳ未経産牛は、４５日の飼育期の間に第４のスタンディングヒートを示し、１頭の未経産牛を、雌雄識別した精液と交配させ、そして残りの６頭を雄牛の自然な種付けにより交配させた。同様に、雄牛を用いた自然の種付けでプロトコルを終了した。
【００５０】
ＹＩＩ　ＩＳ未経産牛を、子孫の差異を最小化するために、１頭の種ウシに対して固定時間交配させた。第２繁殖期についてのプロトコルは、雌雄識別した精液対雌雄識別していない精液の受精能力を比較するために、雌雄識別していない精液を用いて受精させる３分の１のＹＩＩ　ＩＳ未経産牛および雌雄識別した精液を用いて受精させる残りの３分の２を必要とした。雌雄識別していない精液対雌雄識別した精液に対する未経産牛の交配を、飼育仕切りに入った未経産牛の無作為な順序により決定した；各第３の未経産牛を雌雄識別していない精液に対して妊娠した。同様に、その後の繁殖を必要とした３分の１の未経産牛は、雌雄識別していない精液を用いた受精を必要とし；残りの未経産牛は雌雄識別した精液を用いた受精させた。最終的な結果は、ＩＳ未経産牛の固定時間の受精を、雌雄識別していない精液に対して交配させた２５．４％の未経産牛を用いて達成し；残りの７４．６％の未経産牛を雌雄識別した精液に対して交配させた。２４日の繁殖期の後、２８．６％の未経産牛を、雌雄識別していない精液を用いて受精させ、そして残りの７１．４％を、雌雄識別した精液を用いて受精させた。
【００５１】
（妊娠の診断）
第１の種付けの受胎率を、ＹＩおよびＹＩＩにおける固定時間交配のそれぞれ３４日後および４５日後の超音波検査により決定した。全体的な受胎率および妊娠率をまた、ＹＩおよびＹＩＩについての受精の最後の日の後の、それぞれ３４日目および６０日目の超音波検査により決定した。未妊娠と診断された未経産牛をこの系から間引きし、そして残りの妊娠した未経産牛を第ＩＩ期に移行した。ＹＩにおいて間引いた未経産牛を、市場価格にてＥＣＲＣ飼養場に売却した。この売却により発生した資金をＰＩにおいて計上し、そして最後の経済的分析において使用した。
【００５２】
（第ＩＩ期：妊娠から分娩（ＹＩ　ＩＳ未経産牛））
（栄養管理）
ＩＳ未経産牛を、２９７”１２．６日齢の平均齢（最終的な２２頭のＩＳ未経産牛から算出した）で自然な範囲にする。この未経産牛を２３７日間牧草地にて維持した（その間に第１のＩＳ未経産牛（５３４”１２．６日齢）が出産した）。ＩＳ未経産牛の体重を、この期の最初の日と最後の日に記録した。飼料栄養値を、表２および表４（１９）に報告する。
【００５３】
【表６】
2004503231.tif 000009
2004503231.tif 000010
（背脂肪測定）
分娩の第１日目の２０日前のＩＳ未経産牛の背脂肪の厚みを、超音波により測定し、分娩の２０日後にも測定した。背脂肪を、Ａｌｏｋａ　５００Ｖ超音波機を用いて、１２番目の肋骨と１３番目の肋骨との間のリブアイの距離で測定した。
【００５４】
（分娩管理）
ＩＳ未経産牛は、乾燥ロット条件において分娩した。未経産牛を、分娩期の間、４時間毎に観察した。未経産牛は、ウシの状態または出産の進行が異常または順調ではない場合に、分娩管理から援助を受けた。分娩の容易さ、ウシの活力、ウシの誕生重量、性別、死亡率、および罹患率を記録した。分娩の容易さおよびウシ活力のスコアを以下の通りに報告する：分娩の容易さ：１＝援助なし、２＝援助あり、容易、３＝援助あり、非常に困難、４＝帝王切開運搬、５＝逆子出産、異常な状態：ウシの活力１＝すぐに授乳した、ウシは健常で丈夫であった、２＝自力で授乳したが、いくらか時間がかかった、３＝授乳するためにいくらか援助が必要だった、４＝誕生後すぐに死亡した。５＝到着次第死亡した。
【００５５】
ＹＩにおいて、流産は、妊娠した２５頭のＩＳ未経産牛の４頭において起こった（１６％）。これらのＩＳ未経産牛は、早期に致命的な失敗を経験し、そして３頭は、ＩＳ未経産牛の、妊娠期の正常な群れとの混合の結果として自然の種付けにより再度妊娠した。これらのＩＳ未経産牛をＩＳから間引き、そしてＹｕｍａ，Ｃｏ．における地域の家畜オークションにおいて妊娠未経産牛として売却した。これらの後で妊娠したＩＳ未経産牛からの収益（ＩＳ未経産牛１匹あたり＄６５０．００）を、第４のＩＳにより受け入れた。そしてそれを経済的分析に含める。致命的な失敗を経験したＩＳ未経産牛は、再度妊娠せず、そしてＩＳの中で維持し、妊娠ＩＳ未経産牛の対照と共に終了および回収した。
【００５６】
（第ＩＩＩ期．分娩から屠殺）
（栄養管理）
ＩＳ未経産牛に、５３４”１２．６日齢から６９６”１２．６日齢までの１６２日間、飼育場で配給した。成分は、ライ小麦粒、殻付きトウモロコシ全体（ｗｈｏｌｅ　ｓｈｅｌｌ　ｃｏｒｎ）、およびアルファルファを含んだ（図３および図４）。配給は、授乳中の５５０ｋｇのウシのためのＮＲＣ（６８）の必要条件に従いバランスを保ち、そしてＩＳ未経産牛および仔牛の能力に従い調節した。毎日の摂取量を、グループの摂取量をおりの中の動物の数で摂取を除することにより算出した（図８）。統合システムの未経産牛およびＩＳ仔牛の体重を２８日毎に記録した。
【００５７】
（離乳）
ＩＳ未経産牛から生まれた仔牛を、１２０”１９．６日齢で離乳させ、そして離乳後すぐに地域の家畜オークションで販売した。これらの仔牛からの収益を、最終的な経済的分析において計上した。
【００５８】
（収穫の決定）
ＩＳ未経産牛を、１４１日間、飼育場で維持し、そして６９６”１２．６日（２３ヶ月）齢で収穫した。統合システムの未経産牛を、目測による推定１．２７ｃｍの背脂肪の深さに従い、市場に出す準備ができたマーケット予備軍（ｍａｒｋｅｔ　ｒｅａｄｙ）とみなした。離乳から回収までの時間は２１日間であり、これは、乳房が泌乳を停止し、そして退化が進行するのに十分な時間を可能にした。
【００５９】
（第ＩＶ期：屠体の評価）
（ＩＳ未経産牛の販売）
最後の２２頭のＩＳ未経産牛を、屠体の質（生存時の重量、ＵＳＤＡ　Ｑｕａｌｉｔｙ　ＧｒａｄｅおよびＵＳＤＡ　Ｙｉｅｌｄ　Ｇｒａｄｅ）に従い規定価格で販売した。そのグリッドに関する割り増しおよび割り引きを、表５に示す。
【００６０】
【表７】
2004503231.tif 000011
2004503231.tif 000012
（収集した屠体のデータ）
屠体を、収穫した日に、屠殺した階からクーラーへ運搬した。死後約３６時間で、米国農務省内質等級ファクター（骨格の成熟度、赤身の成熟度およびしもふり模様）およびＵＳＤＡ歩留まり等級（最長筋面積、熱い屠殺体重（ｈｏｔ　ｃａｒｃａｓｓ　ｗｅｉｇｈｔ）、および骨盤腎および心臓脂肪の推定）を記録した（１０３）。腰部を、Ｃｏｌｏｒａｄｏ　Ｓｔａｔｅ　Ｕｎｉｖｅｒｓｉｔｙに運び、２ＥＣで１４日間熟成し、次いで、小片の腰部の切片を切り取ってステーキ（２．５４ｃｍの厚み）にするまで、凍結（−２９ＥＣ）させた。
【００６１】
（訓練された官能評価およびＷａｒｎｅｒ−Ｂｒａｔｚｌｅｒ剪断力値）
小片の腰部をフリーザーから取り出し、２．５４ｃｍのステーキを切り取り、次いで冷蔵クーラー（４ＥＣ）で２４時間解凍した。ステーキの温度が調理直前に１ＥＣ〜５ＥＣとの間であることを確実にするために、ステーキ温度をモニターした。ステーキを、Ｍａｇｉｋｉｔｃｈ＝ｎベルトグリル（Ｍａｇｉｇｒｉｌｌ　ｍｏｄｅｌ　ＴＢＧ−６０；Ｍａｇｉｋｉｔｃｈ＝ｎ　Ｉｎｃ．，Ｑｕａｋｅｒｔｏｗｎ，ＰＡ）；（上面加熱；１７７ＥＣ、底面加熱＝１７７ＥＣ、予備加熱＝オフ、高さ＝１．８５ｃｍ、調理時間＝６．５５分）を用いて、７０ＥＣの内部温度になるまで調理した。最終的な終点温度を、手持ち型の温度計（ＯｍｅｇａモデルＨＨ２１温度計、Ｏｍｅｇａ　Ｅｎｇｉｎｅｅｒｉｎｇ，Ｉｎｃ．，Ｓｔａｍｆｏｒｄ，ＣＴ）を用いてモニターした。それぞれの調理したステーキの立方体のサンプルを、官能調査団に供した。回答者を、Ｍｅｉｌｇａａｒｄら（５７）およびＡＭＳＡ（３）により概説された手順に従い、２週間訓練した。回答者は、ジューシーさ、筋肉線維の軟らかさ、全体的な軟らかさ、結合組織、および味の強さの量について、８ポイント等級を用いてサンプルのスコア付けをした（３）。
【００６２】
Ｗａｒｎｅｒ−Ｂｒａｔｚｌｅｒずり応力値に対するステーキを処理して、上述と同様の様式において調製した。このステーキを室温（２４ＥＣ）まで冷やした後に、６〜１０のコア（直径１．２７ｃｍ）をステーキ筋繊維に並行に取り出した（３）。各コアを、一度Ｗａｒｎｅｒ−Ｂｒａｔｚｌｅｒ剪断機を用いて、剪断した。個々のずり応力のピーク値を平均して、各ステーキについての最終的な典型的ずり応力値を得た。ＷＢＳの閾値の４．５ｋｇは、屠体の頑丈さまたは柔らかさの分類を決定した（８９）。４．５ｋｇを超えるＷＢＳ値を有する屠体を、「硬い」とし、一方４．５ｋｇ未満のＷＢＳ値を有する屠体を、「柔らかい」とした。
【００６３】
（第Ｖ相：経済的分析）
収入および出費の総計を各相について記録した。総収益／損失および純収入／損失を、各相について計算し、全ての相についての最終的な総収益／損失および純収入／損失について計算した（表１４〜１９）。収入／損失は、全体のシステムおよび未経産牛あたりの収入／損失について報告された。経済的分析は、ＩＳに置き換えられていない雌の慣用的な管理システムを比較した。さらなるシミュレーションを実施して、ＩＳの収益性において、増大する妊娠率（５８％，６０％，７０％，８０％，９０％および１００％）および雌ウシの生存率（８８％）の影響を比較対照した。
【００６４】
（第Ｉ相）
ＰＩにおいて、ＩＳの未経産牛を、地域の季節性の生体重相場（＄１０３．００／ｃｗｔ）に従いこのシステムに購入した（表１４）。選択された雌ウシを市場値で購入し、熱検出を補助するため男性化した。これらの選択された雌ウシは、後に生体重を元に売られ；報告される値段は、受け取った実際の金額である。統合型システムの未経産牛は、乏しい効率によりシステムから売られ、地域の季節性の生体重相場で売却した。死亡することによる経済的損失は、ＩＳの未経産牛の死亡時の体重と乗算される購入価格に等しいとみなされた。死亡したＩＳの未経産牛に、死亡時のグループ平均体重に基づいた体重を割り当てた。
【００６５】
【表８】
2004503231.tif 000013
飼料代を消費される餌の総量と餌の１トンあたりの費用との乗算によって計算した。１トンあたりの餌の費用は、１０％まで増加した。放牧（ｙａｒｄａｇｅ）において、１日あたり、１頭につき＄０．２０の割合で変化した。医療経費は、最初の処理；病気の動物に投与される病院薬および関連するシュート（ｃｈｕｔｅ）費用＄１．００／ｈｄを含んだ。繁殖費用は、同期化薬の総費用に、精液の費用（精液の仕分け料金）および技術者の報酬を加えることによって計算された。ＰＩに対する総収益／損失を、総収入およびシステムに残っているＩＳの未経産牛の価値から総支出を差し引くことによって計算した。
【００６６】
繁殖費用を、受精および同期化の費用の合計で計算した。受精の費用は、技術者料金（＄４．００／受精）、精液を仕分けする料金（＄２０．００／ストロー）、および精液（＄１２．００／ストロー）に、受精の合計数を乗算することによって計算した。同期化薬は、４３頭のＩＳの未経産牛に対するＭＧＡ（＄１．９６／ｈｄ）およびプロスタグランジン（＄２．１０／ｈｄ）を含んだ。
【００６７】
ＹＩにおいて、ＴＭＳの未経産牛の雌親およびＩＳの未経産牛についての維持費用は、牧草地の貸借費用に補足飼料費用を加えることによって計算される。２群の冬用餌の間の違いを計算した。
【００６８】
（第ＩＩ相）
第ＩＩ相の総収益／損失および純収入／損失を、＄１３．００／ＡＵＭの割合において、一月あたり０．６５ＡＵＭによる牧草地の貸借費用を乗算することによって計算した（表１５）。全ての未経産牛は、１．４か月の間ＰＩＩに移動したが、２５頭の妊娠したＩＳの未経産牛のみが、２５３日の間ＰＩＩにとどまった。ＩＳの未経産牛の競売により生じた収入は、この相に計上された。
【００６９】
【表９】
2004503231.tif 000014
（第ＩＩＩ相）
第ＩＩＩ相の経済的分析は、ＰＩの医療費用および飼料費用と類似した。ＩＳの未経産牛の子牛に関する労働者が増えたことにより、放牧で１日あたり、１頭につき＄０．３０まで増加した（表１６）。選別されたウシは、遅くまで育てられて、繁殖用の未経産牛として市場にでたＩＳの未経産牛を含んだ。報告される値段は、売上から得た実際の値段である。ＩＳの未経産牛の子牛は、離乳後すぐに生体重に基づいて売却された。報告される値段は、得た実際の値段である。残りのＩＳの未経産牛の報告される値段は、屠体の利用価値に従う未経産牛の市場に基づいて得られた（表５および１７）。総収益／損失を総収入から総支出を差し引くことによって計算した。全体の総収益および純収入／損失を、それぞれ各相からの総収益／損失および純収入／損失を合計することによって計算した。
【００７０】
【表１０】
2004503231.tif 000015
【００７１】
【表１１】
2004503231.tif 000016
（ＴＭＳとＩＳとの間の収益性の違い）
ＴＭＳに対するＩＳの収益性を、ＴＭＳの純収入をＩＳの純収入から差し引くことによって計算した（表１８）。ＴＭＳについての総収益／損失を、地域における季節性の生体重の市場値（＄８８．００／ｃｗｔ）と、ＴＭＳの未経産牛の、慣例的な離乳時期における離乳体重平均とを乗算することによって計算した。
【００７２】
【表１２】
2004503231.tif 000017
2004503231.tif 000018
（シミュレーション）
妊娠率の影響を評価するためにシミュレーションを行ったところ、子牛生存の増大に有益であった（表１９）。シミュレーションにより、５８％、６０％、７０％、８０％、９０％および１００％で妊娠率を変化させて、各相の有益性に対する影響およびシステムとして評価した。妊娠率シミュレーションは、雌雄識別した精子を利用し、２％の子牛死亡による損失およびＩＳ未経産牛死亡による損失ならびにＹＩにおけるものと同じ利益率（ｒｅａｌｉｚｅｒ　ｒａｔｅ）と推定した。さらなる想定として、全てのＩＳ子ウシを重量＝（３３０ｌｂｓ）より重い場合に売ること、および遅れて交配した（ｌａｔｅ−ｂｒｅｄ）ＩＳ未経産牛が存在しないことを含めた。各ＵＳＤＡ品質および歩留まり等級屠体の％に基づいて、終了したＩＳ未経産牛からの収益をＹＩにおいて受け取った。消費した飼料を、ＹＩ結果に基づいて、畜舎の動物数に平均個体摂取量を掛けることにより計算した。全てのシミュレーションは、ＹＩ、実費および所得に基づいている。
【００７３】
（統計分析）
統計分析を、ＳＡＳ（８１）の汎用線形モデル（ＧＬＭ）手順を用いて完了し、適切な場合は、平均をターキーのＨＳＤ（８１）を用いて区分して、数年にわたり、体重、年齢、およびＢＣＳにおける差異を決定した。論理回帰および対比（８１）を、従属変数として、妊娠を生じる第１および第２の種付けとともに用いた；群および発情周期または群および技術者を、それぞれ、独立した変数としてみなし、数年にわたり、技術者、種ウシ、および精子の影響を比較および対照した。群とは、４つの群を生じるための、３頭の種ウシのうち１頭からの雌雄識別した精子または精子鑑別していない精子の組み合わせをいい、１頭の種ウシ（ＹＩ）は、雌雄識別した精子および雌雄識別していない精子の両方を、ＩＳ未経産牛の授精に用い、そして２頭の種ウシ（ＹＩＩ）は、雌雄識別した精子のみを、ＩＳ未経産牛の授精に用いた。ｃ２分析および相関分析（８１）を、パネル調査（ｐａｎｅｌ　ｃｈａｒａｃｔｅｒｉｓｔｉｃｓ）（成熟度、ｓｅｓｓｉｏｎ、ジューシーさ、筋繊維の柔らかさ、結合組織の存在、全体的な柔らかさ、および風味の強さ）および出産特徴（子牛の活動力、出産の容易さ、子牛の性別、および種ウシ）に対して行った。治験の間に死亡した動物に対して収集したデータは、統計分析で使用しなかった。
【００７４】
（結果および考察ＰＩ：）
（早期離乳から交配）
早期離乳および雌雄識別した精子のＳＣＨシステムへの統合を研究し、最終的な経済分析を行って、有益性を確立した。最初の年において、非入れ替え状態の未経産牛（ＩＳ未経産牛）４６頭を、１１０”１５．０日齢、１４１”２１．１ｋｇで早期離乳（ＥＷ）させた。入れ替え状態の未経産牛（ＴＲＳ）４０頭を、２２９”２．８日齢、２６２”２５．４０ｋｇで従来どおりに離乳（ＴＷ）させた。ＴＷのときに、ＹＩ　ＩＳ未経産牛は、２０２”１５．０日齢であり、体重２４９”６．８ｋｇであった。ＹＩ　ＴＲＳ未経産牛は、ＹＩ　ＩＳ未経産牛より２７”１２．２日齢高く（Ｐ＜０．０１）、ＴＷの時点でより重かった。ＥＷからＴＷまで、ＹＩ　ＩＳ未経産牛の雌親は、授乳の終了および牧草飼料栄養素の生物学的利用の増大が可能になることの結果として、ＹＩ　ＴＲＳ未経産牛の雌親より大きなＢＣＳを有した（６．６”０．８０および５．８”０．７８（Ｐ＜０．０１））。Ｍｙｅｒｓ　ｅｔ　ａｌ（６４）およびＳｔｏｒｙ　ｅｔ　ａｌ（９７）はまた、雌親のＢＣＳの増大および引き続く１２％の繁殖率の増大を報告した（６４）。現在の研究における繁殖率は、全ての雌親が交配前に一定のＢＣＳに管理されるので、早期離乳によって影響を受けなかった。ＹＩ　ＩＳ未経産牛の雌親は、重量喪失管理条件下でさらなる飼料補充なしで、冬の放牧範囲を増やした。ＴＲＳ未経産牛の雌親もまた、ＢＣＳの維持および増大のために管理される冬の放牧範囲を増やした。冬の期間、ＹＩ　ＴＲＳ未経産牛の雌親は、１９９９〜２０００年のＡｒｋｏｎ，ＣＯにおける暖冬に起因して、わずかしか飼料補充を必要としなかった。ＹＩ　ＩＳ未経産牛の早期離乳は、離乳ストラテジーに拘らず、ごくわずかな飼料補充しか要しなかったので、ＹＩ　ＴＲＳ未経産牛の雌親より少ない冬季飼育費用、雌親１頭あたり７．０６＄の非常にわずかな経済的効果を有した。
【００７５】
２年目において、４８頭のＹＩＩ　ＩＳ未経産牛を、１年目の１１６”１０．５日齢よりわずかに高く（Ｐ＜０．０１）、そして１６４”２４．６ｋｇより重い体重（Ｐ＜０．０１）のときに離乳させた。４０頭のＹＩＩ　ＴＲＳ未経産牛を、乾燥状態および雌親による冬季消費のための牧草飼料を保存する必要性に起因して、１７４”８．０日齢で、ＴＩ　ＴＲＳ未経産牛より若い日齢（Ｐ＜０．０１）で従来どおりに離乳させた。ＴＷのときに、ＹＩＩ　ＩＳ未経産牛は、ＹＩＩ　ＴＲＳより若い２５”５．３日齢（Ｐ＜０．０１）であり、体重１９０”２８．９ｋｇであった。ＹＩＩ　ＴＲＳ未経産牛は、この時点でＹＩＩ　ＩＳ未経産牛と等しい体重であった。ＹＩと対照的に、ＥＷは、おそらく、ＹＩＩより５５日早く生じるＴＷの結果として、ＥＷからＴＷまでの雌親のＢＣＳに対してなんら効果はなかった（Ｐ＝０．７６）。従って、離乳させたＩＳ未経産牛の雌親は、離乳期間の間のＴＲＳの授乳雌親を超えるＢＣＳの増加に十分な時間がなかった。従って、雌親を、冬の期間全体を通して別々に管理しなかった。
【００７６】
この研究における早期離乳した未経産牛の子牛は、雌親に関して、残った同年代より、雌親のＢＣＳ　ＹＩの増大およびより早い増体速度を生じた。これは、Ｒｉｃｈａｒｄｓｏｎ　ｅｔ　ａｌ（９５）、Ｇｒｉｍｅｓ　ａｎｄ　Ｔｕｒｎｅｒ（５）、およびＳｃｈｏｏｎｍａｋｅｒ　ｅｔ　ａｌ（８５）と一致する。従来どおりの離乳の時点で、早期に離乳したＹＩおよびＹＩＩのＴＲＳ未経産牛は、Ｐｅｔｅｒｓｏｎ　ｅｔ　ａｌ（７０）が報告したように、従来どおりに離乳したＹＩおよびＹＩＩのＴＲＳ未経産牛より重くはなかったが、ＹＩにおけるＴＲＳ未経産牛より、ＩＳ未経産牛についての日齢あたりの重さ（ＷＤＡ）は大きかった。
【００７７】
相Ｉ全体を通してのＩＳ未経産牛の２８日齢の増体は、ＹＩにおいて０．８６”０．３７１ｋｇ／日〜２．００”０．３６７ｋｇ／日まで変化し、全体の平均は、１．２５”０．１３９ｋｇ／日であった（図９）。ＹＩＩにおけるＰＩ全体を通しての２８日齢の増体の変動は、ＹＩにおける変動と同様であり、０．４７”０．５８１ｋｇ／日〜２．４５”３．８０４ｋｇ／日の範囲であった（全体の平均は、０．８１”０．１５５ｋｇ／日）（図９）。２８日齢の増体のこれらの変動は、増体を可能にする給餌割合の調節に起因し、このことにより、成体体重の６５％に到達させるために、約１．３ｋｇ／日の迅速な成長を介して早く成熟期が誘導される。一旦、未経産牛の発情周期が回り始めると、割合を減らして、未経産牛の高ＢＣＳおよびその後の生殖／出産の困難性においてあり得るネガティブな影響を回避した。増体の減少は、摂取を約８ｋｇ／ｈｄ／日にした制限給餌の結果としてＹＩＩ　ＰＩの３月において報告された。さらに、ＹＩＩ変動はまた、ＰＩ全体を通して、ＩＳ未経産牛の高死亡率により説明され得る。
【００７８】
ＰＩ：ＹＩの間、３頭の未経産牛を交配の前に研究からはずした。１頭の未経産牛は、ある未知の原因により離乳後まもなく死亡し、２頭めの未経産牛は、貧弱な能力および増体の減少を有し、３頭めの未経産牛は病気になった。これらの損失は、早期離乳期間の間の積極的な給餌に起因した可能性があり、最終的な経済分析において考慮に入れた。８頭の未経産牛は、死亡損失に完全に起因して、２年めに研究からはずした。２頭の未経産牛の死亡損失は、離乳後まもなく発生し、呼吸器疾患に起因した。しかし、残りの６頭のＹＩＩ　ＩＳ未経産牛は、ＰＩへの種々の期間に死亡した。これらの未経産牛の死亡は、腸性毒血症に起因し、地元の獣医により診断された。腸性毒血症の突然の発生は、全てのＩＳ未経産牛にＣｌｏｓｔｒｉｄｉｕｍ（Ｃ型およびＤ型）に対するワクチンを接種し、そして２頭のＩＳ未経産牛がこの疾患のために死亡した後に再びワクチン接種したので、説明がつかない。フィードロットの他の子牛（群れの仲間を含む）いずれもが、この疾患または任意の他の疾患の結果として、高い死亡または死亡率として経験しなかったことはまた特筆されうる。ＥＷ　ＩＳ未経産牛の高い死亡／死亡率の１つの説明は、十分に発揮されない免疫系に起因しうる。ＥＷの時点で、多くのＩＳ未経産牛は、呼吸器感染に罹っていた。ＩＳ未経産牛が疾患を完全に克服できなかったとしても、ＥＷからＴＷまでＡＤＧにおいて見られうるようである。これらのＡＤＧは、同様の栄養管理にもかかわらず、ＹＩ　ＩＳ未経産牛よりＹＩＩ　ＩＳ未経産牛について低下していた（図１、２、３および４）。
【００７９】
（成熟期および交配）
成熟期は、個々の未経産牛に依存して、種々の年齢で到達した（表６）。同期化の約１ヶ月前に、ＹＩ　ＩＳ未経産牛は、ＹＩ　ＴＲＳ未経産牛の８％と比較して、２０％発情周期が回っていた（Ｐ＜０．０１）。ＩＳ未経産牛の早期の成熟期の誘導は、栄養管理に起因し得、このことは、この特定の時点でのより大きな増体および体重の増加を可能にした（Ｐ＜０．０１；３１４”２８．０ｋｇおよび２９３”３１．４７ｋｇ）。同期化に関して同時期に、ＹＩＩ　ＩＳ未経産牛がより重かったとしても（Ｐ＜０．０１；２９６”３２．８ｋｇおよび２５９”４３．５ｋｇ）、ＹＩＩ　ＴＲＳ未経産牛と比較して、発情周期が回っているＹＩＩ　ＩＳ未経産牛はより少なかった（Ｐ＜０．０１；０％および２８％）；しかし、より高い日齢のＴＲＳ未経産牛は、２つの群の間の発情周期回転の％を説明しうる（Ｐ＜０．０１；２２８”１０．５日および２５２”８．０日）。この時点で、ＹＩＩ　ＩＳ未経産牛がより日齢が高かった（Ｐ＜０．０１）としても、ＹＩ　ＩＳ未経産牛より、発情周期が回っているＹＩＩ　ＩＳ未経産牛は少なかった（Ｐ＜０．０１）。おそらく、ＹＩ　ＩＳ未経産牛は体重がより重かった（Ｐ＜０．０５）ことが説明であり得る。同様に、同じ日齢で（Ｐ＝０．７６）（しかし、体重はより重い（Ｐ＜０．０１））、発情周期が回っているＹＩＩ　ＴＭＳ未経産牛はより多かった（Ｐ＜０．０１）。２年の間に発情周期が回っている未経産牛の％の差異を担う因子は、未知である。しかし、季節、食餌、遺伝および社会的環境のような多くの因子は、年によって変動し、これらの全ては、成熟期のタイミングに影響を及ぼす潜在性を有する。ＰＧＦの注射の時点で、発情周期が回っている未経産牛の数は、８４％に増加し（４５頭の未経産牛のうち３８頭が成熟期）、同様に（Ｐ＝０．５８）、ＹＩＩにおいて７５％に増加した（４０頭の未経産牛のうち３８頭が成熟期）。この時点で、ＹＩ　ＩＳ未経産牛およびＹＩＩ　ＩＳ未経産牛は同様の体重を有した（３４１”２８．３ｋｇおよび３４８”３１．８ｋｇ；Ｐ＝０．２６）が、ＹＩ　ＩＳ未経産牛は、ＹＩＩ　ＩＳ未経産牛より若かった（２７８”１５．０日齢および２９１”１０．５日齢；Ｐ＜０．０１）。ＹＩおよびＹＩＩのＩＳ未経産牛は、ＰＧＦ注射の時点で、成熟体重の６８％および７０％であった（成熟体重は、群れの雌親に基づいて、５００ｋｇと推定される）。ＩＳ未経産牛のＡＩにおいてもまた、ＹＩ　ＴＲＳ未経産牛は、３１７”２．８日であり、ＹＩ　ＩＳ未経産牛よりはるかに軽かった（２９３”３１．７ｋｇ、Ｐ＜０．０１）。同様に、ＹＩＩ　ＴＲＳ未経産牛は、３１６”８．０日齢であり、そしてまた、ＹＩＩ　ＩＳ未経産牛より軽かった（２８１”９９．６ｋｇ、Ｐ＜０．０１　ＹＩＩ）。
【００８０】
【表１３】
2004503231.tif 000019
ＩＳ未経産牛（ｈｅｉｆｅｒ）の早期春機発動の誘発は、ＩＳ未経産牛の高水準の栄養素によるものである。この結論は、より早期の春機発動の発生を誘発した高水準の栄養素および通常の発情周期の未経産牛の増加率を報告したＲｏｕｘら（７８）によって支持される。Ｓｃｉｌｌｏら（８３）は、栄養状態がＬＨパルスを増加するタイミングに影響し、そして未知の機構を介して視床下部の系を生じるこのＬＨパルスに関連し得るという仮説を立てた。Ｋｉｎｄｅｒら（４４）は、体重における変化または肥満は、ＬＨパルスに何らかのかたちで影響を及ぼすことを記載した。限られた量のエネルギーを与えられた春機発動前の未経産牛は、高エネルギー食を与えられた未経産牛と比較して、延長されたエストラジオール抑制およびＬＨパルスの放出を有した。高エネルギー食は、生存初期に、より大きな主要な卵胞を生じると考えられる。栄養素の水準は、春機発動の年齢に反比例するが、増加のパターンは、繁殖前に未経産牛が成熟時の体重（５１）の約６０〜６５％に達しさえすれば、春機発動の年齢（３３）に全く影響されない。同様に、現在の研究において、その増加のパターンは、春機発動の発生に影響しなかった。食餌中へのルメンシン（ｒｕｍｅｎｓｉｎ）の添加はまた、春機発動の発生を早めると考えられる。Ｒａｎｄｅｌ（２７）は、いくつかの研究を要約し、そして瘤胃において、高プロピオン酸産物を有する食餌がより軽い体重で春機発動を引き起こすことを見出した。同様に、Ｍｏｓｅｌｅｙら（６２）ならびにＰｕｒｖｉｓおよびＷｈｉｔｔｉｅｒ（７２）は、イオノフォアを含む食餌が春機発動の発生する年齢を低下させる（これは、ＡＤＧまたはＢＷに関連しない）ことを見出した。
【００８１】
未経産牛の体重は、年齢よりも春機発動に影響するようである（表７）。９ヶ月齢よりも若齢で春機発動に達したＩＳ未経産牛は、年齢（Ｐ＝０．６６）および体重（Ｐ＝０．１５）において類似していた。しかし、９ヶ月齢よりも老齢で春機発動に達したＩＳ未経産牛は、類似の体重（Ｐ＝０．４４）であったが、異なる年齢では（Ｐ＜０．０１）であった。ＰＧＦ注射の前に春機発動に達したＹＩおよびＹＩＩにおけるＩＳ未経産牛は、類似の体重（Ｐ＝０．２９）および類似の年齢（Ｐ＝０．６６）であった。これは、未経産牛の体重が年齢よりも春機発動のタイミングにより大きな影響を与える傾向にあるというデータを支持する（４，７８，７９）。
【００８２】
【表１４】
2004503231.tif 000020
2004503231.tif 000021
ＡＩの１回目の供給で、雌雄識別した精子に対して妊娠した（ｐｒｅｇｎａｔ）未経産牛は、周期的な交尾ならびに固定時間での交尾の未経産牛（ＹＩおよびＹＩＩ）のうち、それぞれ、２３％および８％であった（表８）。全体的な受胎率および妊娠率は、７１％および５８％（ＹＩ）ならびに２１％および１６％（ＹＩＩ）であった。低い受胎率は、それぞれの用量（少なくとも３５％の解凍後の運動性を有する３×１０６（ＹＩ）および６×１０６（ＹＩＩ））で用いられた精子の特性（例えば、少数の精子および低運動性の精子）のいずれか１つまたはその組合せに起因し得る。Ｓｅｉｄｅｌら（８７）は、低用量の雌雄識別精子が、通常用量の雌雄非識別精子全体の受胎率の１０〜２０％にまで受胎率を低減させることを見出した。ＹＩＩにおいて、各受精における妊娠率は、１回目の供給または２回目の供給（Ｐ＝０．５６）のいずれかについて、同用量の雌雄非識別精子（Ｐ＝０．５１）以上には、Ｘ染色体についてソーティングされた雌雄識別精子によって影響されなかった。同様に、ＹＩにおける種ウシおよびＹＩおよびＹＩＩにわたる種ウシは、１回目の供給の結果として妊娠に影響しなかった（ＹＩおよびＹＩＩそれぞれ、Ｐ＝０．８７およびＰ＝０．４５）。技術者もまた、ＹＩ（Ｐ＝０．９３）およびＹＩＩ（Ｐ＝０．９６）における妊娠に影響しなかった。
【００８３】
【表１５】
2004503231.tif 000022
ＹＩの妊娠率は、未経産牛が妊娠するように３回から４回の機会を与えられたことを考慮する場合、受け入れられなかった。ＹＩＩにおける妊娠率は、非常に落胆するものであり、そしてこのような乏しい効率についての説明は存在しない。おそらく、ＹＩＩにおける未経産牛の高い罹患率は、生殖機能に支障をきたした。おそらく雌雄識別精子の低用量の受精ストロー（ｓｔｒａｗ）と、非常に若い繁殖年齢の未経産牛との組合せは、低い妊娠率を説明し得る。関連する機構についての結論を完全に評価し、そして引き出すためのさらなる研究が必要とされる。
【００８４】
第１発情期または第２発情期の際の第１人工授精の結果としての妊娠は、妊娠に影響しなかった（Ｐ＝０．９７）。この結果は、第１発情期が第３発情期よりも低い繁殖性であったことを結論付けたＢｙｅｒｌｅｙら（１６）とは対照的である。
【００８５】
ＹＩにおいて、胎仔死亡は、ＩＳ未経産牛繁殖の２５頭のうち４頭（１６％）において生じた。これらのＩＳ未経産牛は、早期の胎仔死（ｆｅｔａｌ　ｌｏｓｓ）を経験し、そして３頭は、自然な供給によって、ＩＳ未経産牛が繁殖期の間に正常な群と混合される結果として再繁殖した。これらの未経産牛は、ＩＳから処分され、そしてＹｕｍａ，ＣＯ．における地方の競売の納屋で繁殖される未経産牛として売られた。これらの晩期繁殖の（ｌａｔｅ−ｂｒｅｄ）ＩＳ未経産牛から得た資金（ＩＳ未経産牛１頭あたり＄６５０．００）は、ＩＳによって受け取られ、そして経済的分析に含まれる。胎仔死を経験した４頭目のＩＳ未経産牛は再繁殖させず、対応する妊娠したＩＳ未経産牛とともにＩＳ中に維持され、完了され、そして収穫された。
【００８６】
（第３相：収集のための分娩）
ＩＳ未経産牛について分娩は難しい（２２頭のうち９頭（４１％）のＩＳ未経産牛が難産を経験し、そして補助を必要とし、このうちの３頭はより大きな労力の補助を必要とする）（表９）。全ての生まれた仔ウシの５０％は、２以上の分娩容易さのスコアを有した。雄の仔ウシを生んだ雌親は、雌の子孫を有する雌親（Ｐ＜０．０５）よりも分娩の困難性を経験した；雄の仔ウシの５６％よび雌の仔ウシの４４％が分娩の困難性について２以上のスコアであった。難産の問題はおそらく、未経産牛の大きさまたは年齢に起因するよりもむしろ、種ウシの選択に起因する。精子がＹＩ中から収集され、そしてＡＩについてパッケージングされた、２頭の黒アンガス（Ｂｌａｃｋ　Ａｎｇｕｓ）雄ウシは、分娩の容易さのスコアにおいて違わなかった（Ｐ＝１．０）。これらの２頭の雄ウシは、この研究について選択時に０．８２および０．３７の精度で０．５および１．５のＢＷ　ＥＰＤを有した。しかし、繁殖期の後、２頭の種ウシについて、ＢＷに対するＥＰＤは、それぞれ、０．９２および０．８７の精度で２．３および４．１まで増加した。出生時体重は、分娩の容易さのスコア（Ｐ＝０．４１）に統計学的に影響しなかったが、ＣＥに対して陽性相関関係（Ｐ＜０．０５）を有した。出生時体重が平均４０±４．７ｋｇの場合、仔ウシの出生時体重が難産を引き起こす因子だったと考えられる。分娩の容易さの高いスコアは、仔ウシの性能におそらく影響する。この研究は、仔ウシの罹患率、ＡＤＧ、または離乳体重に対してＣＥが影響しないことを示した。しかし、少数のサンプル（２０頭の仔ウシ）は、統計学的解析についての問題を有し、ＣＥがこれらの因子に影響しないという結論は、誤読であり、不正確である。
【００８７】
【表１６】
2004503231.tif 000023
生まれた仔ウシ２０頭のうち１２頭（６０％）は、雌であった（表９）。Ｘ染色体についてソーティングされた精子から妊娠した仔ウシ１６頭のうち１１頭（６９％）は雌であり、そして雌雄非識別精子から妊娠した３頭の仔ウシ全てが雄ウシであった（１００％）のに対して、単に自然に供給されて生まれた仔ウシは雌であった（１００％）。Ｓｅｉｄｅｌら（８７）は、雌雄識別精子から妊娠した仔ウシの８６％が所望の性別の仔ウシであることを報告した。雌雄識別精子で妊娠した仔ウシの６９％が所望の性別であったというこのデータセットの結果は、用いられた個体があまりにも少ないので、十分に反復された研究ではない。本研究で用いられた精子のバッチについて、Ｘ染色体の精子の真の割合が、８６〜９２％で変化したために、所望の性別の低い割合が予測できなかった。
【００８８】
ＩＳ子牛は、３５％の死亡率を経験的に示し、そしてさらなる１５％の罹患率を経験的に示した。７頭のうち２頭の死亡は、出生時または出生後程なく死を伴う、難産の結果として生じた。２頭の死亡は、偶発的な事故によるものであり、残りの３頭の子牛は、ジフテリアの結果として死亡した（地域獣医師により診断された）。罹病率は、不適切な出産施設に起因し得る。ＩＳ未経産牛は、飼養場の乾燥ロットの檻（ｄｒｙ　ｌｏｔ　ｐｅｎ）で出産した。檻の肥料管理は、不十分であり、肥料の深さによって乳房の清潔さが最適以下となる。出産管理は、ＩＳの最も高いチャレンジの１つであり得る。他の群れの同調性による出産により、分娩が困難になる。さらに、他の飼養場動物が檻を占有している作業での、１１月から１２月にかけての出産は、空間が十分に制限されている場合に、さらに困難であり、かつ従業員の間での時間管理問題に寄与する。大部分についての条件が、子牛が死亡した場合に、子牛の死亡率または羅患率に影響を与えないか否かは、臨床的条件よりも感染性疾患に起因する。
【００８９】
難産の高い発生率は、Ｂｏｕｃｑｕｅ（１１）によって報告されたデータと一致している。彼は、Ｃｈａｒｏｌａｉｓ種から産まれた２４ヶ月齢および２５ヶ月齢のＳＣＨ　Ｂｅｌｇｉａｎ　Ｗｈｉｔｅ未経産牛が、３０〜３７．５％の帝王切開手順および１５〜２５％の死産、または分娩後２４時間以内の死を生じることを報告した。難産の高い発生率は、おそらく、子牛の高い出生体重（４３．８ｋｇおよび４３．９ｋｇ）によるものであった。Ｒｏｕｘら（７８）は、ＡｕｂｒａｃおよびＡｎｇｕｓ種から産まれた１０ヶ月齢のＦｒｉｅｓｉａｎおよびＦｒｉｅｓｉａｎ　Ｘ　Ｃｈａｒｏｌａｉｓ未経産牛において類似の出産困難性を報告した；３９％が管理者による補助を受け、５％が獣医師の介入を必要とした。出産困難の発生率はまた、交雑種の未経産牛を用いたＢａｉｌｅｙ（５）によっても報告されている；Ｔｅｘａｓ　Ｌｏｎｇｈｏｒｎ種から産まれた未経産牛は、４％未満の難産を生じたが、Ｒｅｄ　Ａｎｇｕｓ種とかけ合わせた場合には、２８％の難産を有した。Ｒｏｕｘら（７８）はまた、難産を経験的に示す未経産牛が、補助なしに出産する未経産牛よりも有意に類似の骨髄測定値を有することを見出した。現在の研究において、骨髄測定値はＹＩにおいて記録されていない；しかし、ＹＩＩ　ＩＳ未経産牛の骨髄測定値は、ＹＩＩ　ＴＲＳ未経産牛と異ならない；ＹＩの結果が類似であることが推測され得る。Ｃｏｌｅｏｕら（１７）は、現在の研究とかなり類似の出産困難性を報告した。１９ヶ月齢で出産するＮｏｒｍａｎｄ未経産牛の研究において、３１％が補助を必要とし、１４％が出生前の子牛の死亡を経験的に示し、そして出産の３ヶ月齢前に、未経産牛の２９％の全死亡率が存在した。同様に、これらの子牛は、３８．５ｋｇという高い出生体重を有した。
【００９０】
他の研究者らはまた、難産に起因する子牛の死亡が、出産の間の管理レベルに強く依存することを見出した（１８）。Ｓｉｍｏｎら（９１）は、典型的な飼養場条件下で、妊娠中の飼養場未経産牛が２９％の子牛の死を示すことを報告した。彼らはまた、難産の高い死亡率が、設備の不足および望ましくない出産条件に起因することを報告した。それにもかかわらず、生産者は、管理者能力（１３）に従って、出産の容易さと子孫の値段との両方を最適化するための選択肢を使用しなければならない。
【００９１】
統合システム（ｉｎｔｅｇｒａｔｅｄ　Ｓｙｓｔｅｍ）の未経産牛および子牛の性能は、飼養場において受け入れ可能である。ＩＳ子牛の離乳体重は、平均で１０９”１６．７日で１１６”２６．１ｋｇであり、１．０”０．０８ｋｇの平均１日増加（ｇａｉｎ）であった。ＩＳ未経産牛の平均１日増加が、妊娠後期から授乳初期までの間に１．６”１．０３ｋｇまで変化し、次いで、授乳後期から離乳までに０．４”０．３４ｋｇまで減少し、そして離乳から収集までに１．４”０．３１ｋｇまで増加した。ＩＳ未経産牛についての１５７日のＰＩＩＩ供給餌期間にわたる平均１日増加は、１．４”．３１ｋｇであった。ＩＳ未経産牛の性能は、全未経産牛にわたって完全に一致した。これは、高レベルの交雑哺乳が起こり、その結果、子牛年齢の差が大きい場合でさえ、各雌親が、おそらく同量の乳を与えるためであることに起因し得る。出産時または出産後程なく子牛を失った未経産牛は、乳を分泌し続けて他の雌親の子牛を援助する。他の研究者らはまた、飼養場の条件下で、ＳＣＨ育成子牛の間の交雑哺乳の高い発生率を記述した（１３、３５）。最後の２２頭の未経産牛および子牛より生じる全生存体重は、８９４”６５．７ｋｇであった。死亡率および罹患率は、相ＩＩＩの間、ＩＳ未経産牛により経験的に示されなかった。
【００９２】
ＢｒｅｔｈｏｕｒおよびＪａｅｇｅｒ（１３）は、離乳の各日数の遅滞について、子牛増加が０．５４ｋｇであるが、雌親の増加は等価量により減少されることを報告した。従って、これらは、１０〜１２週（７０〜９０日）で早期離乳した。現在のデータはまた、より高い子牛増加を支持するために授乳が増加した場合、雌親増加が減少することを見出した。一旦、子牛が離れると、増加はＩＳ未経産牛について増加した。しかし、５頭の動物のみがＰＩＩＩの間のいずれかの点で体重減少を経験的に示し、体重減少は、２８日の体重期間において０．６ｋｇ／日を決して越えないことに注意しなけらばならない。この体重減少は、体組織ではなく、むしろ、腸が充たされていることに起因する。なぜなら、体重測定の前に絶食されなかったか、または体重に影響を及ぼす消化管を最小にするように２日連続で測定されなかったためである。
【００９３】
Ｒｅｉｌｉｎｇら（７４）は、１３．４％ＣＰにて８５％の濃縮食餌により、飼養場における分娩後のＳＣＨを管理した。彼は、子牛が１５９ｋｇ体重の１１７日で離乳することを報告した。これらの結果は、現在の研究よりも好ましい飼養場性能を示しているが、Ｒｅｉｌｉｎｇら（７４）は、より高年齢で子牛が離乳することを報告した。彼らはまた、離乳の時期において、ＳＣＨが１．１ｃｍの深さで皮下脂肪を有し、それ故に、現在の研究において、ＩＳ未経産牛のＢＦは、超音波検査法によって決定されるように、０．２７ｃｍであった。現在の研究において、分娩後のＳＣＨは、１１．８％ＣＰにて９６％の濃縮食餌により管理された。これら２つの研究間に起こる差異は、食餌により完全には説明され得ない。しかし、種々の季節、遺伝学および授乳能によって、いくつかの差異が説明され得る。ＢｒｅｔｈｏｕｒおよびＪａｅｇｅｒ（１３）は、ＳＣＨの性能が一様でなく、以前の比較が時間、遺伝学および管理に関連して、システムにおける変化を実証していることを見出した。
【００９４】
（第４相：屠体特性）
ＩＳ未経産牛は、６１３”４６．１ｋｇ体重の７１５”１５．０日（２４ヶ月）で収穫された。Ｃｏｌｏｒａｄｏ　Ｓｔａｔｅ　Ｕｎｉｖｅｒｓｉｔｙの職員およびＵＳＤＡ　Ｇｒａｄｅｒは、屠体特性（ＫＰＨ、脂肪厚み、マーブリングの程度、ｒｉｂｅｙｅ領域、赤身の成熟度スコア、および骨の成熟度スコア）の平均および標準偏差を測定した（表１１）。２２頭のＩＳ未経産牛のうちの８頭が、「Ｂ」の骨成熟度スコアを受けた。しかし、全てが「Ａ］の赤身成熟度スコアを有し（表１０）、そして、８頭の屠体のうち４頭のみが全体の「Ｂ」の成熟度スコアとなった。これらの結果は、妊娠および授乳が、赤身成熟度スコアよりも骨形成に高い程度で影響を及ぼすという、他の研究者により提唱された理論を支持する（表１２）。Ｆｉｅｌｄら（７６）は、最も誇張された傾向を報告した；３３ヶ月齢のＳＣＨの１８頭が、「Ａ」の赤身成熟度を有するが、「Ｃ」の骨成熟度を有する。ＵＳＤＡ（１０３）によると、「Ｃ」の骨成熟度または赤身成熟度を有する屠体は、他の生理学的スコアにかかわらず「Ｃ」の成熟度のままである。全体の成熟度が「Ｃ」成熟度のままであった。Ｗａｇｏｎｅｒら（１０５）は、ＡＣ＠成熟度として報告される８４頭の屠体のうち３頭のみを用いて、ＳＣＨの平均全屠体成熟度スコアが、「Ｂ」（１０５”３．０）、「Ｂ」（１１６”３．６）の骨成熟度スコアおよび「Ａ」（８０”３．２）の赤身成熟度スコアであることを報告した。Ｆｉｅｌｄら（２６）は、経産が赤身強度に影響を与えないことを報告した。しかし、赤身の色は、満１才の処女未経産牛から２才の処女未経産牛の年齢の動物よりも暗い傾向にあった。３０ヶ月齢のＳＣＨの妊娠は、２才の処女未経産牛よりも明るい赤身の色を生じる。いくつかの研究において、処女未雌は、赤身色においてより高い成熟度スコアを有すことが報告された（５、７４、１０４、１０５）。Ｈｅｒｍｅｓｍｅｙｅｒら（３５）は、授乳ＳＣＨが同じ年齢の開放未経産牛よりも高い赤身成熟度スコアを有するが、骨成熟度スコアが異ならないことを報告した。従って、全体の成熟度スコアは、ＳＣＨについて開放未経産牛よりも高かった。対照的に、他の研究データは、ＳＣＨの赤身の色と処女未経産牛の赤身の色との間に差異を見出さなかった（１０、１４、２６、７８）。現在の研究において、骨成熟度および赤身成熟度に関する別々の要因としての妊娠および授乳の効果は、交雑哺乳の結果と同じように、授乳し続けるための子牛を失ったＩＳ未経産牛として評価され得ない。
【００９５】
【表１７】
2004503231.tif 000024
ＩＳ未経産牛は、小程度のマーブリング（ｍａｒｂｌｉｎｇ）を平均する（表１１）。「Ａ」の全成熟度スコアを受けた１７頭の屠体のうち、１４頭の屠体が、選択質等級（ｃｈｏｉｃｅ　ｑｕａｌｉｔｙ　ｇｒａｄｅ）を受け、そして３頭の屠体が、選択質等級（ｓｅｌｅｃｔ　ｑｕａｌｉｔｙ　ｇｒａｄｅ）を受けた（表１０）。全屠体成熟度スコア「Ｂ」を受けた５頭の屠体のうち、１頭が選択質等級において維持するのに十分なマーブリングを有した（Ｍｏｄｅｓｔ０）。他の４頭の屠体は、小程度のマーブリングの結果として標準質等級（ｓｔａｎｄａｒｄ　ｑｕａｌｉｔｙ　ｇｒａｄｅ）を受けた。これら４頭の屠体は、１１．８７ドル／ｃｗｔの財政割引を受けた（表５）。他の受けた割引は、１．００ドル／ｃｗｔで３のＹＧを有する２２頭の屠体のうちの９頭、および２０．００ドル／ｃｗｔで４のＹＧを有する２２頭の屠体のうちの２頭を含んだ。従って、ＹＧ４を受けた屠体の１つはまた、「Ｂ」成熟度の屠体であった。２ＹＧ４のうちの１つは、最小程度のマーブリングを有し、選択質等級において維持された。しかし、ＹＧ４についての割引が標準屠体についての割引よりも大きいため、動物に摂食させるには長すぎて維持できないため、標準等級となる「Ｂ」成熟度の屠体を克服するために、筋肉間の脂肪を増加するように試みることができない。さらに、ＹＧ４を受けた他の屠体もまた、標準質等級を受け、そして、この特定の屠体についての割引は、３６．８７ドル／ｃｗｔであった。
【００９６】
【表１８】
2004503231.tif 000025
適切に筋肉内堆積されたほとんどのＩＳ未経産牛は、高級の品質等級であった。しかし、「Ｂ」成熟の影響に起因して、４の屠体（ｃａｒｃａｓｓ）が、標準と評価された。標準屠体の出現は、これらの屠体が基準価格から１１．８７ドル／ｃｗｔまで値引きされ、そして高級な屠体が基準価格よりも０．９７ドル／ｃｗｔのみしかプレミアムを与えられないので、主要な経済的な関心である（表５）。この特定のグリッドにおいて、同じ収量等級および重量の単一の標準屠体の値引きを得補うために、約１２の高級屠体を必要とする。ＵＳＤＡ（１０３）は、Ｂ成熟が品質等級において果たす役割に対して変化をなした。現在、適度未満の程度マーブリング（ｍａｒｂｌｉｎｇ）を有するＢ熟成屠体が、標準に分類される；少なくとも適度マーブリングを有するこれらの屠体は、高級等級または良品（ｂｅｔｔｅｒ）を受ける。新しい分類標準は、過去のＳＣＨ研究に対してなされた研究から、未経産牛分類標準（７５）の発生を増加させ得る。屠体の標準等級は、値引きと関係し、そして供給ＳＣＨの収益性に対する主要な経済的な影響があり得る（２６，７４，１００，１０５）。
【００９７】
現在の研究において、４つの「Ｂ」成熟屠体のうちの１つだけが、マーブリングの適度さに起因して、高級品質等級を維持するが、等級基準の変更の前には、４つ全ての屠体が、高級に分類されていた。同様に、高級屠体の高い発生を報告した多くの以前の研究は、現在、標準のより低い等級を生じる。Ｈｅｒｍｅｓｍｅｙｅｒら（３６）は、ＳＣＨの約７４％がＵＳＤＡ高級、ＹＧ３を受けたことを報告した。同様に、Ｒｅｉｌｉｎｇら（７５）は、ＳＣＨの約５０％が、古いＵＳＤＡ等級標準（１０２）下でＵＳＤＡ高級を受けたことを報告した。しかし、現在のＵＳＤＡ標準（１０３）下で、同じ等級を受ける未経産牛の割合は、約４０％に減少する。
【００９８】
この研究のこれらの結果は、動物は、３０月齢の未経産牛と比較しての２４月齢であったとはいえ、多くの他のＳＣＨ系列研究によって見出される屠体特性に類似する（表１２）。しかし、いくつかの研究は、「Ｃ」のいくつかの屠体成熟スコアを報告した（２６，７４，７５，１０５）。現在の研究において、「Ｃ」成熟の発生は起こらない。同様に、ＢｒｅｔｈｏｕｒおよびＪａｅｇａｒ（１３）ならびにＷａｇｇｏｎｅｒ（１０５）は、「Ｃ」の屠体成熟スコアを有する屠体がないことを見出した。
【００９９】
【表１９】
2004503231.tif 000026
（Ｗａｒｎｅｒ−Ｂｒａｔｚｌｅｒ剪断力および味覚パネル）
Ｗａｇｇｏｎｅｒら（１０５）、ＪｏｓｅｐｈおよびＣｒｏｗｌｅｙ（４２）、ならびにＢｏｎｄら（１０）は、ジューシーさおよび風味が、平衡価格にも感覚パネルの柔らかさにも、影響されないことを報告した。Ｗａｇｇｏｎｅｒら（１０５）は、感覚パネリストが、検出可能な結合性組織、筋細線維および全体的な柔らかさがＳＣＨまたは２年齢の未交尾未経産牛のいずれかより、満１歳の未交尾の未経産牛について高いことを見出したことを報告した。ＷＢＳ値は、未交尾の未経産牛よりもＳＣＨで高かった。従って、出産は、柔らかさについては負の影響を与えた。加齢は、感覚パネルで検出可能な結合組織を増加させ、そして加齢と分娩の組合せの影響は、満１年の未交尾未経産牛に対する柔らかさを減少させた。しかし、柔らかさと風味の良さの特徴は、２歳齢の未交尾雌ウシとＳＣＨとの間で差異がなかった。従って、ＳＣＨ系列は、感覚パネリストによって決定されるような類似の年齢の未交尾未経産牛に匹敵する肉の風味の良さを生じた。Ｖｉｎｃｅｎｔら（１０４）は、ＳＣＨが最も年齢のいった（３３月齢）のＳＣＨを除いて感覚パネル評価において差異がないことを報告し、これは、より大きな結合性組織を有した。ＪｏｓｅｐｈおよびＣｒｏｗｌｅｙ（４２）は、放牧地において、Ｈｅｒｅｆｏｒｄ交雑種の未交尾未経産牛およびＳＣＨを完成させ、そして分娩した未経産牛が、感覚パネリストに対して未交尾の未経産牛ほどに受け入れ可能であるようであり、そして両方が去勢牛ほどにほぼ受け入れ可能であることことを報告した。未交尾の未経産牛とＳＣＨ未経産牛との間に、柔らかさ、ジューシーさまたは風味において、有意な差異は存在しなかった。現在の研究において、８人のパネリストが、完全に受け入れ可能なＩＳ未経産牛からの肉を評価した。８点スケールに対して、パネリストは、これらのステーキを、中程度にジューシであること（６”０．９９）、筋肉線維の柔らかさにおいて中程度であること（６”１．１）、存在する微量の結合性組織（６”１．１）、柔らかさ全体において中程度であること（６”０．９５）および多少検出可能な風味（１”０．６１）であると評価した。
【０１００】
「Ａ」または「Ｂ」のような屠体成熟の分類は、評価された味覚パネル特徴（Ｐ＞０．３）のいずれをも影響しなかった。屠体成熟の増加は、柔らかさ、ジューシーさの減少ならびに風味強度および異臭の増加に関係するが、Ｈｉｌｔｏｎら（３７）は、同様に、成熟集団内での位置が、風味の良さに対して無視可能な影響しか有さないことを見出した。同様に、他の研究者は、感覚味覚パネル特性が、「Ａ」と「Ｂ」の成熟屠体との間で区別できなかったことを報告した（９９）。これらの研究および現在の研究とは対照的に、Ｓｍｉｔｈら（９３，９４）は、同じマーブリングスコア内の、「Ａ」および「Ｂ」の成熟屠体のステーキが、有意に異なることを報告した。「Ａ」成熟分類と「Ｂ」成熟分類との間の相関は明らかではなく、そしてさらなる調査研究が、「Ａ」および「Ｂ」成熟分類と風味の良さとの間の矛盾の混乱に寄与する証拠を提供した。しかし、マーブリングと成熟の組み合せ効果は、柔らかさの観察された３０〜４０％の変動を説明し、ジューシーさの２６％の変動を説明し、そして風味の１５％の変動を説明する（３７）。
【０１０１】
ＩＳ未経産牛からの２２枚のステーキの全ては、柔らかかった。平均Ｗａｒｎｅｒ−Ｂｒａｔｚｌｅｒ剪断力（ＷＢＳ）の値は、２．９”０．９であった。ステーキは、４．５のＷＢＳ値を越えなかったので、固いステーキの発生は、現在の研究においては、生じなかった（８９）。従って、ＩＳで管理された２４月齢のＳＣＨについてのステーキは、消費者に、非常に風味の良い製品を提供すると結論付けられる。
【０１０２】
（第Ｖ相：経済的分析）
各相の経済的分析を、正味の収入／支出を決定するために行った。ＹＩの相Ｉ（表１３）は、主に、ＩＳ未経産牛（１５，５４０．６４ドル）および３頭の雌ウシの雄性化（１，４７０．００ドル）の投資に起因して、２８，８００．４９ドルの正味の支出を有した。交配が、２番目に費用のかかる出費（３，２１０．７４ドル）であり、次いで、飼料費用（８，６９７．３９ドル）であった。相Ｉの収入（２，５９１．４８ドル）は、貧弱な飼育場効率に起因する選択された雄性化雌ウシおよびＩＳ未経産牛（リアライザ）によって発生した。
【０１０３】
【表２０】
2004503231.tif 000027
2004503231.tif 000028
相ＩＩ（表１４）の収入は、妊娠することが出来なかった１８頭のＩＳ未経産牛の販売によって生じた。これらの未経産牛を、最終的な妊娠チェックの後直ちに、１１，８８０．００ドルで販売した。支出は、合計で１，８６０．６９ドルであった。放牧地リースは、ＡＵＭあたり１３．００ドルであり、そして各ＩＳ未経産牛は、０．６５ＡＵＭであると考えられる。１８頭のオープンＩＳ未経産牛を、約１２ヵ月の間それらの妊娠対応物と共に牧草地に残した。２５頭の妊娠ＩＳ未経産牛を、約６２ヵ月の間牧草地に残した。ＰＩＩについての正味の収入は、１０，０１９．３１ドルであった。相ＩＩＩ（表１５）は、１８，８６６．０２ドルの正味の収入を有した。主な支出は、ＩＳ未経産牛からの仔ウシの死亡による損失（２，４１５．６０ドル）および飼料費用（６，２０６．３１ドル）を含んだ。収入の主な供給源は、食用とするために飼料を与えられ、そして収集された２２頭のＩＳ未経産牛によってもたらされた。これらの未経産牛は、屠体価値（表５）に従って販売された。ＩＳ未経産牛によってもたらされた収入（２１，５１０．５３ドル）は、表１６の屠体評価に従って分類される。
【０１０４】
ＩＳは、非入れ替え未経産牛の従来の管理システムより有益ではなく、ここでこの雌子ウシは、２００日の慣例的な年齢で離乳され、そして離乳後ただ時に売却された（表１７）。ＴＭＳの益金は、＄８８．００／ｌｂでの４３のＴＷ子ウシの売上高により生じる＄２１，８３４．８０であった。ＴＭＳの費用は、雌ウシのコストであった。雌ウシのコストは、ＥＣＲＣにおける最後の５年の雌ウシのコストを取り、そして平均化し（＄１９，３５２．５８）、次いで４３のＴＭＳ子ウシを掛けることによって算出した。ＩＳとＴＭＳとの間の差異は、＄３，９４４．６７であり、ＴＭＳの利益であった。しかし、５８％の妊娠率におけるシミュレーションにおいて（表１８）、子ウシの生存は、この差異を＄３，６７９．３６（ＩＳの利益）まで増加した。この結果は、子ウシの生存の経済的重要性を示す。死亡する子ウシの数を２７％から２％に減少させることによって、収益は、＄７，６２４．０３だけ増加した。従って、これは、子ウシ出産（ｃｌａｖｉｎｇ）管理はこのシステムの最終段階で重要でなければならないという証拠である。上記のように、この期間および必要とされる監視のレベルは、分娩管理の問題を引き起こし得る。故に、個々の生産者は、管理能力に従ってこのシステムの採用を評価しなければならない。
【０１０５】
シミュレーション（表１８）は、仮定のもとで、ＩＳはＴＭＳより有益であり得ることを示した。このシステムを評価するための最も適切な図面は、８０％の生殖率に関連する図である。この割合は、最も受容可能な妊娠率であり、そしておそらくこのプロジェクトをさらに開発しそして検索してＩＳを使用して達成され得る。この妊娠率において、ＴＭＳを越える収入は、＄７，３２１．３７である。しかし、この妊娠率の達成は、達成されてもされなくてもよい。このシミュレーションは、子ウシ出産期の間の分娩の賃金を含みもしないし、目的の割合も機会費用も含まなかった。従って、この研究で報告されるシミュレーションは、注意して解釈するべきである。なぜなら、これらの因子が含まれる場合、収益性は確実に減少するからである。
【０１０６】
（関連）
早期離乳および性別識別した精液が単一の雌子ウシ系に組み込まれる一体型システムは、加速システムであり、これにより１頭の子ウシに、２４月齢で屠殺するために標的化した未経産牛を生ませる。ＩＳは、ＩＳ未経産牛を１０月齢で交配させる早期春機発動を達成する工程に依存する。このシステムの強力な制限因子は、この年齢の未経産牛の妊娠する能力または不能性である。消費者の満足度は、ＩＳ未経産牛により提供される肉により危うくされない。なぜなら、最終産物は、味−パネルに対して非常に味が良く、そしてＷａｒｎｅｒ−Ｂｒａｔｚｌｅｒ　Ｓｈｅａｒ力によると、非常に柔らかいからである。高い生殖率が達成され、そして子ウシの死亡率が最小に保たれる場合、慣例的な年齢での離乳の直後に非入れ替え未経産牛を売却するよりも高い収益性が達成され得る。ＩＳは、有益である可能性を有し、そして消費者に良質な最終産物を提供するが、操作によるシステムの採用は、管理能力に従って、個々の基礎に基づいて評価されるべきである。
【０１０７】
この特許協力条約の特許出願に含まれる議論は、本発明の基本的な説明として役立つことが意図される。読者は、特定の議論は、可能である本発明の実施形態の全てを明確には記載し得ず、多くの代替物が暗示されることに注意するべきである。これは、本発明の一般的な性質を十分には説明し得ず、そして各特性または要素が広範な機能または非常に様々な代替の要素もしくは等価な要素を実際にどのように示すかを明確に示し得ない。また、これらは、本開示に暗黙のうちに含まれる。本発明が機能に指向した用語法で記載される場合、機能の各々の局面は、デバイス、サブルーチンまたはプログラムによって達成され得る。装置の請求項は、記載されるデバイスについてのみ含まれるのではなく、方法の請求項またはプロセスの請求項もまた、本発明および各々の要素が実行する機能を解決するために含められ得る。記載も用語包も、特許請求の範囲を限定することを意図しない。
【０１０８】
さらに、本発明の種々の要素および請求項のそれぞれがまた、種々の様式で達成され得る。本開示は、このような各々のバリエーション（任意の装置の実施形態、方法またはプロセスの実施形態のバリエーション、またはこれらの任意の要素のバリエーションにさえすぎない）を含むことが理解されるべきである。特に、本開示が本発明の要素に関連する場合、各々の要素についての語が、たとえ機能または結果のみが同じであるとしても、等価な装置の用語または方法の用語によって表現され得ることが理解されるべきである。このような等価な、より広い、またはより一般的な用語は、各々の要素または作用の記載に含まれるとみなされるべきである。このような用語は、本発明が権利を与えられる暗黙の広い適用範囲を明白にすることが所望される場合に置き換えられ得る。これは、１つの例としてではなく、すべての作用が、その作用を行うための手段として、またはその作用を起こす要素として表現され得ることが理解されるべきである。同様に、開示された各々の物理的要素は、物理的要素が容易にする作用の開示を含むと理解されるべきである。この最後の局面に関して、これは１つの例としてではなく、「発情期同時化要素」の開示は、明白に議論されるか否かにかかわらず、「発情期を同時化する」作用の開示を含むことが理解されるべきであり、そして逆に、「発情期を同時化する」作用の開示のみが存在する場合、このような開示は、「発情期同時化要素」の開示、さらに「発情期を同時化する」ための手段を含むことが理解されるべきである。このような変更および代替的な用語は、本明細書中に明白に含まれることが理解される。
【０１０９】
さらに、本願の全ての要素の様々な組み合わせおよび順序が作製され、そして示され得る。この全ては、特定の用途において設計または性能を最適化するように行われ得る。
【０１１０】
本特許出願で示される法律、法令、規定または規則の任意の行為；あるいは本特許出願で示される特許、刊行物または他の参考文献は、本明細書中で参考として援用される。詳細には、米国仮特許出願６０／２１１０９３（２０００年６月１２日出願）および同６０／２４４，０５０（２０００年８月９日出願）、ならびに米国特許出願０９／００１，３９４（１９９７年１２月３１日出願）、および米国特許出願０９／０１５，４５４（１９９８年１月２９日出願）、およびＰＣＴ／ＵＳ９９／１７１６５（１９９９年７月２８日出願）、ならびに「Ｃｏｓｔ　Ｅｆｆｅｃｔｉｖｅｎｅｓｓ　ｏｆ　Ｕｔｉｌｉｚｉｎｇ　Ｓｅｘｅｄ−Ｓｅｍｅｎ　ｉｎ　ａ　Ｃｏｍｍｅｒｃｉａｌ　Ｂｅｅｆ　Ｃｏｗ　Ｏｐｅｒａｔｉｏｎ」、Ｎａｎｅｔｔｅ　Ｌｙｎｎ　Ｓｔｅｅｌの論文、Ｄｅｐａｒｔｍｅｎｔ　ｏｆ　Ａｇｒｉｃｕｌｔｕｒｅ　ａｎｄ　Ｒｅｓｏｕｒｃｅ　Ｅｃｏｎｏｍｉｃｓ，１９９８年夏の各々は、本明細書中で参考として援用される。
【０１１１】
【数１】
2004503231.tif 000029
2004503231.tif 000030
2004503231.tif 000031
2004503231.tif 000032
2004503231.tif 000033
2004503231.tif 000034
2004503231.tif 000035
2004503231.tif 000036
2004503231.tif 000037
2004503231.tif 000038
2004503231.tif 000039
2004503231.tif 000040
2004503231.tif 000041
2004503231.tif 000042
2004503231.tif 000043
2004503231.tif 000044
2004503231.tif 000045
2004503231.tif 000046
さらに、使用される各用語に関して、本出願におけるその利用が、このような解釈と矛盾しない限り、一般的な辞書の定義が、各用語および全ての定義について参考として援用されるように理解され、ランダムハウスウェブスター大辞典（第２版）に含まれるような代替的な用語および同義語が、参考として本明細書中に援用されることが、理解される。しかし、上記の各々に関して、このような参考として援用される情報および記載が、この／これらの発明の特許化と矛盾するとみなされうる程度にまで、このような記載が、本出願人によってなされたものとして明らかにみなされるべきではない。
【０１１２】
従って、本出願人は、少なくとも以下を特許請求するための支持を有することが理解されるべきである：ｉ）本明細書中に記載の一体型群管理システム；ｉｉ）開示および記載される関連する方法、ｉｉｉ）これらのデバイスおよび方法の各々の、類似のバリエーション、等価なバリエーション、およびさらには暗黙のバリエーション、ｉｖ）開示および記載されるその示された機能の各々を達成する、それらの代替的な設計、ｖ）開示および記載される事を達成することが暗示されるような示された機能の各々を達成する、それらの代替的な設計および方法、ｖｉ）別個のかつ独立した発明として示される、各々の特徴、要素、および工程、ｖｉｉ）開示される種々のシステムまたは要素によって向上される適用、ｖｉｉ）このようなシステムまたは要素によって生成される、得られた生成物、ｉｘ）本明細書中上記に実質的に記載され、そして任意の添付の実施例に関する、方法および装置、ならびにｘ）開示される各々のエレメントの種々の組み合わせおよび順序。
【０１１３】
さらに、その内容がその他に必要としない限り、用語「含む（ｃｏｍｐｒｉｓｅ）」または「含む（ｃｏｍｐｒｉｓｅｓ）」または「含む（ｃｏｍｐｒｉｓｉｎｇ）」のような変化形は、言及された要素または工程あるいは要素または工程の群を包含することを意味するが、任意の他の要素または工程あるいは要素または工程の群を排除することを意味しないことが理解される。このような用語は、オーストラリアなどの国々において法的に許可され得る最も広い範囲を本出願人に付与するように、その最も拡大した形態で解釈されるべきである。
【図面の簡単な説明】
【図１】
図１は、Ｙ染色体保有精子からＸ染色体保有精子を識別するために使用される概略化されたフローサイトメトーターを示す。
【図２】
図２は、Ｙ染色体保有精子からＸ染色体保有精子を識別するために使用される概略化されたフローサイトメトーターの第２図を示す。
【図３】
図３は、伝統的な離乳方法を使用する群れ管理システムを示す。
【図４】
図４は、早期離乳法を使用する群れ管理システムを示す。
【図５】
図５は、単離されたＹ染色体富化集団の精子を使用する群れ管理発明の実施形態を示す。
【図６】
図６は、単離されたＹ染色体富化集団の精子および早期に乳離れした子孫を使用する群れ管理発明の実施形態を示す。
【図７】
図７は、単離されたＸ染色体富化集団の精子を使用する群れ管理発明の実施形態を示す。
【図８】
図８は、発情同時性プロトコルの実施形態を示す。
【図８】
2004503231.tif 000047
【国際公開パンフレット】
2004503231.tif 000048
2004503231.tif 000049
2004503231.tif 000050
2004503231.tif 000051
2004503231.tif 000052
2004503231.tif 000053
2004503231.tif 000054
2004503231.tif 000055
2004503231.tif 000056
2004503231.tif 000057
2004503231.tif 000058
2004503231.tif 000059
2004503231.tif 000060
2004503231.tif 000061
2004503231.tif 000062
2004503231.tif 000063
2004503231.tif 000064
2004503231.tif 000065
2004503231.tif 000066
2004503231.tif 000067
2004503231.tif 000068
2004503231.tif 000069
2004503231.tif 000070
2004503231.tif 000071
2004503231.tif 000072
2004503231.tif 000073
2004503231.tif 000074
2004503231.tif 000075
2004503231.tif 000076
2004503231.tif 000077
2004503231.tif 000078
2004503231.tif 000079
2004503231.tif 000080
2004503231.tif 000081
2004503231.tif 000082
2004503231.tif 000083
2004503231.tif 000084
2004503231.tif 000085
2004503231.tif 000086
2004503231.tif 000087
2004503231.tif 000088
2004503231.tif 000089
2004503231.tif 000090
2004503231.tif 000091
2004503231.tif 000092
2004503231.tif 000093
2004503231.tif 000094
2004503231.tif 000095
2004503231.tif 000096
2004503231.tif 000097
2004503231.tif 000098
2004503231.tif 000099
2004503231.tif 000100
2004503231.tif 000101
2004503231.tif 000102
2004503231.tif 000103
2004503231.tif 000104
2004503231.tif 000105
2004503231.tif 000106
2004503231.tif 000107
2004503231.tif 000108
2004503231.tif 000109
2004503231.tif 000110
2004503231.tif 000111
2004503231.tif 000112
2004503231.tif 000113
2004503231.tif 000114
2004503231.tif 000115
2004503231.tif 000116
2004503231.tif 000117
2004503231.tif 000118
2004503231.tif 000119
2004503231.tif 000120
2004503231.tif 000121
2004503231.tif 000122
2004503231.tif 000123
2004503231.tif 000124
2004503231.tif 000125
2004503231.tif 000126
2004503231.tif 000127
2004503231.tif 000128
2004503231.tif 000129
2004503231.tif 000130
2004503231.tif 000131
2004503231.tif 000132
2004503231.tif 000133
2004503231.tif 000134
【国際調査報告】
2004503231.tif 000135